(57)【特許請求の範囲】
【請求項１】
基地局（ＢＳ）によるワイヤレス通信のための方法であって、
ユーザ機器（ＵＥ）のカテゴリを示すインジケーションを受信することと、ここにおいて、前記ＵＥの前記カテゴリは前記ＢＳが前記ＵＥにおける受信機の数を仮定することを可能にするための前記ＵＥの能力を示し、前記ＵＥの能力は第１のランク、第１の変調およびコード化スキーム（ＭＣＳ）、第１のチャネル品質インジケータ（ＣＱＩ）値、前記ＵＥによってサポートされる第１の最大スループット、または前記ＵＥによってサポートされるレイヤの第１の数のうちの少なくとも１つを含む、
前記ＵＥにおける受信機の数が前記仮定のもとで識別できるように、前記ＵＥからユーザ機器（ＵＥ）識別情報（ＵＥ ＩＤ）またはチャネル状態フィードバック（ＣＳＦ）を受信することと、ここにおいて、前記ＣＳＦは、第２のランク、第２のＭＣＳ、または第２のＣＱＩ値のうちの少なくとも１つを含み、ここにおいて、前記第２のランクは、前記第１のランクとは異なる、前記第２のＭＣＳは、前記第１のＭＣＳとは異なる、または前記第２のＣＱＩ値は、前記第１のＣＱＩ値とは異なる、のうちの少なくとも１つである、
前記ＵＥ ＩＤまたは前記ＣＳＦに基づいて、前記ＵＥが単一受信機を使用して通信すると決定することと、
前記決定に基づいて、１つまたは複数の送信パラメータを決定することと、
前記１つまたは複数の送信パラメータにしたがって、前記ＵＥと通信することと
を備える方法。
【請求項２】
前記ＣＳＦは、前記ＵＥによってサポートされるレイヤの第２の数を示し、前記レイヤの第２の数は、前記レイヤの第１の数とは異なる、
請求項１に記載の方法。
【請求項３】
前記１つまたは複数の送信パラメータを決定することは、
スペクトル効率に対するチャネル品質インジケータ（ＣＱＩ）のマッピングを調節することを備える、
請求項１に記載の方法。
【請求項４】
前記調節されたマッピングにしたがって、ランクのグラントを送ることで、または、伝送モードを使用することで、前記ＢＳが前記決定された１つまたは複数の送信パラメータを用いて通信することを前記ＵＥに示すことをさらに備える、
請求項３に記載の方法。
【請求項５】
前記１つまたは複数の送信パラメータを決定することは、送信のタイプにさらに基づく、
請求項１に記載の方法。
【請求項６】
前記送信の前記タイプは、セカンダリ同期信号（ＳＳＳ）、プライマリ同期信号（ＰＳＳ）、物理ブロードキャストチャネル（ＰＢＣＨ）、物理ダウンリンク制御チャネル（ＰＤＣＣＨ）、物理ＨＡＲＱインジケータチャネル（ＰＨＩＣＨ）、システム情報ブロック（ＳＩＢ）、ページング信号、または物理ダウンリンク共有チャネル（ＰＤＳＣＨ）のうちの少なくとも１つを備える、
請求項５に記載の方法。
【請求項７】
前記１つまたは複数の送信パラメータを決定することは、前記送信を繰り返す回数を決定することを備える、
請求項５に記載の方法。
【請求項８】
前記送信を繰り返す前記回数を決定することは、前記ＵＥが単一受信機を使用して通信するという前記決定に基づいて、前記ＵＥにおける受信機の数が１より大きかった場合に比べて、より頻繁に前記送信を繰り返すことを決定することを備える、
請求項７に記載の方法。
【請求項９】
前記１つまたは複数の送信パラメータを決定することは、前記送信を繰り返すリソースブロックを決定することをさらに備える、
請求項７に記載の方法。
【請求項１０】
前記１つまたは複数の送信パラメータを決定することは、前記送信を繰り返す１つまたは複数のサブフレームを決定することをさらに備える、
請求項７に記載の方法。
【請求項１１】
前記ＢＳに固有の、繰り返される送信のためのパターンを決定することと、
前記決定されたパターンにしたがって送信することと
をさらに備える、請求項７に記載の方法。
【請求項１２】
周波数領域または時間領域のうちの少なくとも１つで前記送信を繰り返すかどうかを決定することをさらに備える、
請求項７に記載の方法。
【請求項１３】
前記１つまたは複数の送信パラメータを決定することは、前記送信のために使用する伝送電力レベルを決定することを備える、
請求項５に記載の方法。
【請求項１４】
前記送信のために使用する前記伝送電力レベルを決定することは、前記ＵＥが単一受信機を使用して通信するという前記決定に基づいて、より高い伝送電力レベルを使用すると決定することを備える、
請求項１３に記載の方法。
【請求項１５】
前記より高い伝送電力レベルは、繰り返される送信に対してのみ使用される、
請求項１４に記載の方法。
【請求項１６】
前記１つまたは複数の送信パラメータを決定することは、前記送信のために使用するアグリゲーションレベルを決定することを備える、
請求項５に記載の方法。
【請求項１７】
前記ＵＥの前記示されたカテゴリは、ＣＡＴ１以上である、請求項１に記載の方法。
【請求項１８】
ユーザ機器（ＵＥ）によるワイヤレス通信のための方法であって、
前記ＵＥのカテゴリを示すインジケーションを基地局（ＢＳ）に送ることと、ここにおいて、前記ＵＥの前記カテゴリは前記ＢＳが前記ＵＥにおける受信機の数を仮定することを可能にするための前記ＵＥの能力を示し、前記ＵＥの能力は第１のランク、第１の変調およびコード化スキーム（ＭＣＳ）、第１のチャネル品質インジケータ（ＣＱＩ）値、前記ＵＥによってサポートされる第１の最大スループット、または前記ＵＥによってサポートされるレイヤの第１の数のうちの少なくとも１つを含む、
前記ＵＥにおける受信機の数が前記仮定のもとで識別できるように、前記ＵＥが単一受信機を使用して通信することを示すＵＥ識別情報（ＵＥ ＩＤ）またはチャネル状態フィードバック（ＣＳＦ）を前記ＢＳに送ることと、前記ＣＳＦは、前記ＵＥによって用いられるレイヤの第２の数、第２のランクを示すランクインジケータ、第２のＭＣＳ、または第２のＣＱＩ値のうちの少なくとも１つを含み、ここにおいて、前記第２のランクは、前記第１のランクとは異なる、前記第２のＭＣＳは、前記第１のＭＣＳとは異なる、または前記第２のＣＱＩ値は、前記第１のＣＱＩ値とは異なる、のうちの少なくとも１つである、
前記ＵＥが単一受信機を使用して通信することを示す前記インジケーションに基づいて決定された１つまたは複数の送信パラメータにしたがって送信された１つまたは複数の送信を前記ＢＳから受信することと
を備える方法。
【請求項１９】
前記ＵＥが単一受信機を使用して通信することを示す前記ＵＥ ＩＤまたは前記ＣＳＦを前記送ることに基づいて、前記１つまたは複数の送信パラメータを仮定することと、
前記仮定された１つまたは複数の送信パラメータにしたがって、前記１つまたは複数の送信をモニタすることと
をさらに備える、請求項１８に記載の方法。
【請求項２０】
前記ＵＥが単一受信機を使用して通信することを確認応答するシグナリングを前記ＢＳから受信することと、
前記ＢＳから前記確認応答を受信することに基づいて、前記１つまたは複数の送信パラメータにしたがって、前記１つまたは複数の送信をモニタすることと
をさらに備える、請求項１８に記載の方法。
【請求項２１】
前記１つまたは複数の送信パラメータは、前記１つまたは複数の送信の繰り返しの数、前記１つまたは複数の送信の電力レベル、前記１つまたは複数の送信のアグリゲーションレベル、前記１つまたは複数の送信に対して使用されるリソースブロック、または前記１つまたは複数の送信に対して使用されるサブフレームのうちの少なくとも１つを備える、
請求項１８に記載の方法。
【請求項２２】
基地局（ＢＳ）によるワイヤレス通信のための装置であって、
ユーザ機器（ＵＥ）のカテゴリを示すインジケーションを受信するための手段と、前記ＵＥの前記カテゴリは前記ＢＳが前記ＵＥにおける受信機の数を仮定することを可能にするための前記ＵＥの能力を示し、前記ＵＥの能力は第１のランク、第１の変調およびコード化スキーム（ＭＣＳ）、第１のチャネル品質インジケータ（ＣＱＩ）値、前記ＵＥによってサポートされる第１の最大スループット、または前記ＵＥによってサポートされるレイヤの第１の数のうちの少なくとも１つを含む、
前記ＵＥにおける受信機の数が前記仮定のもとで識別できるように、前記ＵＥからユーザ機器（ＵＥ）識別情報（ＵＥ ＩＤ）またはチャネル状態フィードバック（ＣＳＦ）を受信するための手段と、ここにおいて、前記ＣＳＦは、第２のランク、第２のＭＣＳ、または第２のＣＱＩ値のうちの少なくとも１つを含み、ここにおいて、前記第２のランクは、前記第１のランクとは異なる、前記第２のＭＣＳは、前記第１のＭＣＳとは異なる、または前記第２のＣＱＩ値は、前記第１のＣＱＩ値とは異なる、のうちの少なくとも１つである、
前記ＵＥ ＩＤまたは前記ＣＳＦに基づいて、前記ＵＥが単一受信機を使用して通信すると決定するための手段と、
前記決定に基づいて、１つまたは複数の送信パラメータを決定するための手段と、
前記１つまたは複数の送信パラメータにしたがって、前記ＵＥと通信するための手段と
を備える装置。
【請求項２３】
ユーザ機器（ＵＥ）によるワイヤレス通信のための装置であって、
前記ＵＥのカテゴリを示すインジケーションを基地局（ＢＳ）に送るための手段と、ここにおいて、前記ＵＥの前記カテゴリは前記ＢＳが前記ＵＥにおける受信機の数を仮定することを可能にするための前記ＵＥの能力を示し、前記ＵＥの能力は第１のランク、第１の変調およびコード化スキーム（ＭＣＳ）、第１のチャネル品質インジケータ（ＣＱＩ）値、前記ＵＥによってサポートされる第１の最大スループット、または前記ＵＥによってサポートされるレイヤの第１の数のうちの少なくとも１つを含む、
前記ＵＥにおける受信機の数が前記仮定のもとで識別できるように、前記ＵＥが単一受信機を使用して通信することを示すＵＥ識別情報（ＵＥ ＩＤ）またはチャネル状態フィードバック（ＣＳＦ）を前記ＢＳに送るための手段と、前記ＣＳＦは、前記ＵＥによって用いられるレイヤの第２の数、第２のランクを示すランクインジケータ、第２のＭＣＳ、または第２のＣＱＩ値のうちの少なくとも１つを含み、ここにおいて、前記第２のランクは、前記第１のランクとは異なる、前記第２のＭＣＳは、前記第１のＭＣＳとは異なる、または前記第２のＣＱＩ値は、前記第１のＣＱＩ値とは異なる、のうちの少なくとも１つである、
前記ＵＥが単一受信機を使用して通信することを示す前記インジケーションに基づいて決定された１つまたは複数の送信パラメータにしたがって送信された１つまたは複数の送信を前記ＢＳから受信するための手段と
を備える装置。
【発明の詳細な説明】
【関連出願への相互参照および優先権主張】
【０００１】
[0001]本願は、２０１５年５月２８日に出願された米国仮特許出願第６２／１６７，８７７号および２０１６年５月１８日に出願された米国特許出願第１５／１５８，１９０号の利益および優先権を主張するものであり、その両方が適用可能なすべての目的のために全体において参照によって本明細書に組み込まれる。
【背景技術】
【０００２】
開示の分野
[0002]本開示の特定の態様は、一般には、ワイヤレス通信に関し、より具体的には、たとえば、ロングタームエボリューション（ＬＴＥ（登録商標））における、ユーザ機器（ＵＥ）のような、単一受信機（ＲＸ）デバイスのためのリンクバジェット強化に関する。
【０００３】
関連技術の説明
[0003]ワイヤレス通信システムは、音声、データ、等の、様々なタイプの通信コンテンツを提供するために広く展開されている。これらのシステムは、利用可能なシステムリソース（たとえば、帯域幅および伝送電力）を共有することで、複数のユーザとの通信をサポートすることができる多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ（登録商標））ロングタームエボリューション（ＬＴＥ）／ＬＴＥ−アドバンスドシステム、および直交周波数分割多元接続（ＯＦＤＭＡ）システムが含まれる。
【０００４】
[0004]一般に、ワイヤレス多元接続通信システムは、複数のワイヤレス端末のための通信を同時にサポートすることができる。各端末は、順方向リンクおよび逆方向リンク上での送信を介して、１つまたは複数の基地局と通信する。順方向リンク（すなわち、ダウンリンク）は、基地局から端末への通信リンクを指し、逆方向リンク（すなわち、アップリンク）は、端末から基地局への通信リンクを指す。この通信リンクは、単一入力単一出力、多入力単一出力、または多入力多出力（ＭＩＭＯ）システムを介して確立され得る。
【０００５】
[0005]ワイヤレス通信ネットワークは、多数のワイヤレスデバイスのための通信をサポートすることができる多数の基地局を含み得る。ワイヤレスデバイスは、ユーザ機器（ＵＥ）を含み得る。ＵＥのいくつかの例には、セルラ電話、スマートフォン、携帯情報端末（ＰＤＡ）、ワイヤレスモデム、ハンドヘルドデバイス、タブレット、ラップトップコンピュータ、ネットブック、スマートブック、ウルトラブック、等が含まれ得る。いくつかのＵＥは、マシン型通信（ＭＴＣ）ＵＥであると考えられ得、それは、基地局、別のリモートデバイス、または何らかの他のエンティティと通信し得る、センサ、メータ、ロケーションタグ、等のリモートデバイスを含み得る。マシン型通信（ＭＴＣ）は、通信の少なくとも一端に少なくとも１つのリモートデバイスを伴う通信を指し得、人間の関与（human interaction）を必ずしも必要としない１つまたは複数のエンティティを伴うデータ通信の形式を含み得る。ＭＴＣ ＵＥは、たとえば、地上波公共モバイルネットワーク（ＰＬＭＮ：Public Land Mobile Networks）を通してＭＴＣサーバおよび／または他のＭＴＣデバイスとＭＴＣ通信することができるＵＥを含み得る。いくつかのＵＥは、「ウェアラブル（wearables）」であると考えられ得る。ウェアラブルは、ユーザによって着用され得るワイヤレスデバイスを含み得る。ウェアラブルは、電力およびエリア制約を有し得る。ＭＴＣ ＵＥのような特定のＵＥおよびウェアラブルは、単一ＲＸチェーンしか有さない可能性がある。
【０００６】
[0006]通信頻度が低いＭＴＣデバイスおよび電力および面積が限られているウェアラブルのような特定のデバイスのカバレッジを強化するために、リンクバジェット強化のための技法が望まれる。
【発明の概要】
【０００７】
[0007]本開示のシステム、方法、およびデバイスは各々、いくつかの態様を有し、そらのうちのいずれも、その望ましい属性を単独で担うものではない。後続する特許請求の範囲によって表される本開示の範囲を限定することなしに、ここにいくつかの特徴が簡潔に記述されるであろう。この記述を検討した後、具体的には「詳細な説明」と題するセクションを読んだ後、当業者は、本開示の特徴が、ワイヤレスネットワークにおける改善された通信を含む利点をどのように与えるかを理解するであろう。
【０００８】
[0008]本開示の特定の態様は、たとえば、ロングタームエボリューション（ＬＴＥ）のための単一受信機（ＲＸ）を有するマシン型通信（ＭＴＣ）ユーザ機器（ＵＥ）および／またはウェアラブルデバイスのような、特定のデバイスのためのリンクバジェット強化ための技法および装置を提供する。
【０００９】
[0009]本開示の特定の態様は、基地局（ＢＳ）によるワイヤレス通信のための方法を提供する。方法は、一般に、ＵＥのカテゴリを示すインジケーションをＵＥから受信することと、ここにおいて、ＵＥのカテゴリは、ＵＥによってサポートされる最大スループットまたはＵＥによってサポートされるレイヤの数のうちの少なくとも１つを示し、ＵＥのカテゴリに基づいて、ＵＥにおける受信機の数を仮定することと、ＵＥの受信機の数に基づいて、１つまたは複数の送信パラメータを決定することと、１つまたは複数の送信パラメータにしたがって、ＵＥと通信することとを含む。
【００１０】
[0010]本開示の特定の態様は、ＵＥによるワイヤレス通信のための方法を提供する。方法は、一般に、ＵＥのカテゴリを示すインジケーションをＢＳに送ることと、ここにおいて、ＵＥのカテゴリは、ＵＥによってサポートされる最大スループットまたはＵＥによってサポートされるレイヤの数のうちの少なくとも１つを示し、ＢＳによる、ＵＥにおける受信機の数の仮定に基づいて決定された１つまたは複数の送信パラメータにしたがって送信された１つまたは複数の送信をＢＳから受信することとを含む。
【００１１】
[0011]本開示の特定の態様は、ＢＳのようなワイヤレス通信のための装置を提供する。装置は、一般に、ＵＥのカテゴリを示すインジケーションをＵＥから受信するための手段と、ここにおいて、ＵＥのカテゴリは、ＵＥによってサポートされる最大スループットまたはＵＥによってサポートされるレイヤの数のうちの少なくとも１つを示し、ＵＥのカテゴリに基づいて、ＵＥにおける受信機の数を仮定するための手段と、ＵＥの受信機の数に基づいて、１つまたは複数の送信パラメータを決定するための手段と、１つまたは複数の送信パラメータにしたがって、ＵＥと通信するための手段とを含む。
【００１２】
[0012]本開示の特定の態様は、ＵＥのようなワイヤレス通信のための装置を提供する。装置は、一般に、ＵＥのカテゴリを示すインジケーションをＢＳに送るための手段と、ここにおいて、ＵＥのカテゴリは、ＵＥによってサポートされる最大スループットまたはＵＥによってサポートされるレイヤの数のうちの少なくとも１つを示し、ＢＳによる、ＵＥにおける受信機の数の仮定に基づいて決定された１つまたは複数の送信パラメータにしたがって送信された１つまたは複数の送信をＢＳから受信するための手段とを含む。
【００１３】
[0013]本開示の特定の態様は、ＢＳのようなワイヤレス通信のための装置を提供する。装置は、一般に、ＵＥのカテゴリを示すインジケーションをＵＥから取得することと、ここにおいて、ＵＥのカテゴリは、ＵＥによってサポートされる最大スループットまたはＵＥによってサポートされるレイヤの数のうちの少なくとも１つを示し、ＵＥのカテゴリに基づいて、ＵＥにおける受信機の数を仮定することと、ＵＥの受信機の数に基づいて、１つまたは複数の送信パラメータを決定することと、１つまたは複数の送信パラメータにしたがって、ＵＥと通信することとを行うように構成された少なくとも１つのプロセッサと、少なくとも１つのプロセッサに結合されたメモリとを含む。
【００１４】
[0014]本開示の特定の態様は、ＵＥのような、ワイヤレス通信のための装置を提供する。装置は、一般に、ＵＥのカテゴリを示すインジケーションをＢＳに、送信のために出力することと、ここにおいて、ＵＥのカテゴリは、ＵＥによってサポートされる最大スループットまたはＵＥによってサポートされるレイヤの数のうちの少なくとも１つを示し、ＢＳによる、ＵＥにおける受信機の数の仮定に基づいて決定された１つまたは複数の送信パラメータにしたがって送信された１つまたは複数の送信をＢＳから取得することとを行うように構成された少なくとも１つのプロセッサを含む。
【００１５】
[0015]本開示の特定の態様は、コンピュータ実行可能なコードを記憶したコンピュータ読取可能な媒体を提供する。コードは、一般に、ＵＥのカテゴリを示すインジケーションをＵＥから受信するためのコードと、ここにおいて、ＵＥのカテゴリは、ＵＥによってサポートされる最大スループットまたはＵＥによってサポートされるレイヤの数のうちの少なくとも１つを示し、ＵＥのカテゴリに基づいて、ＵＥにおける受信機の数を仮定するためのコードと、ＵＥの受信機の数に基づいて、１つまたは複数の送信パラメータを決定するためのコードと、１つまたは複数の送信パラメータにしたがって、ＵＥと通信するためのコードとを含む。
【００１６】
[0016]本開示の特定の態様は、コンピュータ実行可能なコードを記憶したコンピュータ読取可能な媒体を提供する。コードは、一般に、ＵＥのカテゴリを示すインジケーションをＢＳに送るためのコードと、ここにおいて、ＵＥのカテゴリは、ＵＥによってサポートされる最大スループットまたはＵＥによってサポートされるレイヤの数のうちの少なくとも１つを示し、ＢＳによる、ＵＥにおける受信機の数の仮定に基づいて決定された１つまたは複数の送信パラメータにしたがって送信された１つまたは複数の送信をＢＳから受信するためのコードとを含む。
【００１７】
[0017]方法、装置、システム、コンピュータプログラム製品、および処理システムを含む数多くの他の態様が提供される。
【００１８】
[0018]前述した目的および関連する目的を達成するために、１つまたは複数の態様は、以下に十分に説明され、かつ、特許請求の範囲において具体的に示される特徴を備える。以下の説明および添付の図面は、１つまたは複数の態様の実例となる特定の特徴を詳細に示す。しかしながら、これらの特徴は、様々な態様の原理が用いられ得る様々な方法のうちのほんの一部を示し、この説明は、すべてのこのような態様およびそれらの同等物を含むよう意図される。
【００１９】
[0019]本開示の上記特徴が詳細に理解されることができるように、上で簡潔に概要が述べられている内容のより具体的な説明が、いくつかが添付の図面に例示されている態様を参照することによりなされ得る。しかしながら、その説明が他の同等に効果的な態様に通じ得るため、添付の図面が本開示の特定の典型的な態様のみを例示しており、したがって、その範囲を限定するものと考えられるべきではないことは留意されるべきである。
【図面の簡単な説明】
【００２０】
【図１】[0020]図１は、本開示の特定の態様に係る、ワイヤレス通信ネットワークの例を概念的に例示するブロック図である。
【図２】[0021]図２は、本開示の特定の態様に係る、ワイヤレス通信ネットワークにおいてユーザ機器（ＵＥ）と通信状態にある基地局の例を概念的に例示するブロック図を示す。
【図３】[0022]図３は、本開示の特定の態様に係る、ワイヤレス通信ネットワークにおけるフレーム構造の例を概念的に例示するブロック図である。
【図４】[0023]図４は、本開示の特定の態様に係る、ノーマルサイクリックプレフィックスでの２つの例示的なサブフレームフォーマットを概念的に例示するブロック図である。
【図４Ａ】[0024]図４Ａは、本開示の特定の態様に係る、ＬＴＥにおけるアップリンク（ＵＬ）フレーム構造の例を例示する図である。
【図５】[0025]図５は、本開示の特定の態様に係る、基地局（ＢＳ）によるワイヤレス通信のための例となる動作を例示するフロー図である。
【図６】[0026]図６は、本開示の特定の態様に係る、ＵＥによるワイヤレス通信のための例となる動作を例示するフロー図である。
【図７】[0027]図７は、本開示の特定の態様に係る、示されたＵＥカテゴリとＵＥにおける受信機の数とに基づいて通信パラメータを設定するための例となる動作を例示する例となる呼フローである。
【詳細な説明】
【００２１】
[0028]理解を容易にするために、可能であれば、複数の図に共通である同一の要素を指定するために同一の参照数字が使用されている。一実施形態において開示される要素が、特定の記載なしに他の実施形態で有益に利用され得ることは企図される。
【００２２】
[0029]本開示の態様は、ロングタームエボリューション（ＬＴＥ）のための単一受信機（ＲＸ）を有する、マシン型通信（ＭＴＣ）ユーザ機器（ＵＥ）および／またはウェアラブルデバイスまたはＵＥのような特定のデバイスと基地局との間で効率的な通信を可能にするのを助け得る技法を提供する。たとえば、基地局（ＢＳ）は、ＵＥからＵＥカテゴリを示すインジケーションを受信し、示されたＵＥカテゴリに基づいて、ＵＥにおける多数の受信機の数を仮定し得る。次いで、ＢＳは、ＵＥにおける受信機の数に基づいて送信パラメータを決定し、決定された送信パラメータにしたがってＵＥと通信し得る。
【００２３】
[0030]本開示のさまざまな態様は、添付の図面を参照して以下でより十分に説明される。しかしながら、本開示は、多くの異なる形式で具現化され得、本開示全体にわたって提示される任意の特定の構造または機能に限定されると解釈されるべきではない。むしろ、これらの態様は、本開示が徹底的かつ完全となるように提供され、本開示の範囲を当業者に十分に伝えるであろう。本明細書での教示に基づいて、当業者は、本開示の範囲が、本明細書で開示される開示の任意の態様を、それらが独立して実施され（implemented）ようと本開示の任意の他の態様と組み合わされて実施されようと、カバーするよう意図されていることを認識するべきである。たとえば、本明細書で示される任意の数の態様を使用して、装置が実施され得るか、方法が実践され得る。加えて、本開示の範囲は、本明細書で示される開示の様々な態様に加えて、または、それ以外に、他の構造、機能性、または、構造と機能性を使用して実践されるそのような装置または方法をカバーするよう意図されている。本明細書で開示される開示の任意の態様が請求項の１つまたは複数の要素によって具現化され得ることは理解されるべきである。
【００２４】
[0031]「例示的」という用語は、本明細書では、「例、事例、または実例として機能する」という意味で使用される。「例示的」として本明細書で説明される任意の態様は、必ずしも、他の態様より好ましいまたは有利であると解釈されるべきではない。
【００２５】
[0032]特定の態様が本明細書で説明されるが、これらの態様の多くの変形および置換は、本開示の範囲内である。好ましい態様のいくつかの利益および利点が述べられているが、本開示の範囲は、特定の利益、用途、または目的に限定されるよう意図されない。むしろ、本開示の態様は、異なるワイヤレス技術、システム構成、ネットワーク、および送信プロトコルに広く適用できるよう意図されており、それらのうちのいくつかは、図においておよび好ましい態様の以下の説明において例として例示される。詳細な説明および図面は、限定というよりはむしろ、本開示の例示にすぎず、本開示の範囲は、添付の特許請求の範囲およびそれらの同等物によって定義されている。
【００２６】
[0033]本明細書で説明される技法は、ＣＤＭＡ、ＴＤＭＡ、ＦＤＭＡ、ＯＦＤＭＡ、ＳＣ−ＦＤＭのような様々なワイヤレス通信ネットワークおよび他のネットワークに使用され得る。「ネットワーク」および「システム」という用語は、交換可能に使用されることが多い。ＣＤＭＡネットワークは、ユニバーサル地上無線アクセス（ＵＴＲＡ）、ｃｄｍａ２０００、等の無線技術を実施し得る。ＵＴＲＡは、広帯域ＣＤＭＡ（ＷＣＤＭＡ（登録商標））、時分割同期ＣＤＭＡ（ＴＤ−ＳＤＭＡ）、およびＣＤＭＡの他の変形を含む。ｃｄｍａ２０００は、ＩＳ−２０００、ＩＳ−９５、およびＩＳ−８５６規格をカバーする。ＴＤＭＡネットワークは、モバイル通信のためのグローバルシステム（ＧＳＭ（登録商標））のような無線技術を実施し得る。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ、等の無線技術を実施し得る。ＵＴＲＡおよびＥ−ＵＴＲＡは、ユニバーサルモバイル電気通信システム（ＵＭＴＳ）の一部である。周波数分割複信（ＦＤＤ）および時分割複信（ＴＤＤ）の両方における、３ＧＰＰロングタームエボリューション（ＬＴＥ）およびＬＴＥ−アドバンスド（ＬＴＥ−Ａ）は、ダウンリンクではＯＦＤＭＡを用い、アップリンクではＳＣ−ＦＤＭＡを用いるＥ−ＵＴＲＡを使用するＵＭＴＳの新リリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）という名称の団体からの文書に記載されている。ｃｄｍａ２０００およびＵＭＢは、「第３世代パートナーシッププロジェクト２」（３ＧＰＰ２）という名称の団体からの文書に記載されている。本明細書で説明される技法は、上述したワイヤレスネットワークおよび無線技術に加えて、他のワイヤレスネットワークおよび無線技術に対しても使用され得る。明確化のために、これらの技法の特定の態様は、ＬＴＥ／ＬＴＥ−アドバンスドに関して以下に説明されており、ＬＴＥ／ＬＴＥ−アドバンスドの専門用語が以下の説明の大部分で使用され得る。ＬＴＥおよびＬＴＥ−Ａは、一般に、ＬＴＥと呼ばれる。
【００２７】
例となるワイヤレス通信システム
[0034]図１は、本開示の態様が実践され得る、例となるワイヤレス通信ネットワーク１００を例示する。たとえば、本明細書で提示される技法は、図１に示されるユーザ機器（ＵＥ）および基地局（ＢＳ）が通信するのを助けるために使用され得る。たとえば、ｅＮＢ１１０は、ＵＥ１２０からＵＥカテゴリを示すインジケーションを受信し、示されたＵＥカテゴリに基づいてＵＥ１２０における多数の受信機の数を仮定し得る。次いで、ｅＮＢ１１０は、ＵＥ１２０における受信機の数に基づいて、ＵＥ１２０と通信するために使用する送信パラメータを決定し得る。
【００２８】
[0035]ネットワーク１００は、ＬＴＥネットワークまたは何らかの他のワイヤレスネットワークであり得る。ワイヤレスネットワーク１００は、多数の発展型ノードＢ（ｅＮＢ）１１０および他のネットワークエンティティを含み得る。ｅＮＢは、ユーザ機器（ＵＥ）と通信するエンティティであり、基地局、ノードＢ、アクセスポイント、等とも呼ばれ得る。各ｅＮＢは、特定の地理的エリアに対して通信カバレッジを提供し得る。３ＧＰＰでは、「セル」という用語は、この用語が使用されるコンテキストに依存して、ｅＮＢのカバレッジエリア、および／または、このカバレッジエリアにサービス提供するｅＮＢサブシステムを指し得る。
【００２９】
[0036]ｅＮＢは、マクロセル、ピコセル、フェムトセル、および／または他のタイプのセルに対して通信カバレッジを提供し得る。マクロセルは、比較的広い地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、ホーム）をカバーし得、このフェムトセルと関連性があるＵＥ（たとえば、クローズド加入者グループ（ＣＳＧ）中のＵＥ）による制限付きアクセスを可能にし得る。マクロセルのためのｅＮＢはマクロｅＮＢと呼ばれ得る。ピコセルのためのｅＮＢはピコｅＮＢと呼ばれ得る。フェムトセルのためのｅＮＢは、フェムトｅＮＢまたはホームｅＮＢ（ＨｅＮＢ）と呼ばれ得る。図１に示される例では、ｅＮＢ１１０ａは、マクロセル１０２ａのためのマクロｅＮＢであり得、ｅＮＢ１１０ｂは、ピコセル１０２ｂのためのピコｅＮＢであり得、ｅＮＢ１１０ｃは、フェムトセル１０２ｃのためのフェムトｅＮＢであり得る。ｅＮＢは、１つまたは複数（たとえば、３つ）のセルをサポートし得る。「ｅＮＢ」、「基地局」、および「セル」という用語は、本明細書では交換可能に使用され得る。
【００３０】
[0037]ワイヤレスネットワーク１００は中継局も含み得る。中継局は、アップストリーム局（たとえば、ｅＮＢまたはＵＥ）からデータの送信を受信し、ダウンストリーム局（たとえば、ＵＥまたはｅＮＢ）にデータの送信を送ることができるエンティティである。中継局はまた、他のＵＥのための送信を中継することができるＵＥであり得る。図１に示される例では、中継局１１０ｄは、ｅＮＢ１１０ａとＵＥ１２０ｄの間の通信を容易にするために、マクロｅＮＢ１１０ａおよびＵＥ１２０ｄと通信し得る。中継局は、中継ｅＮＢ、中継基地局、リレー、等とも呼ばれ得る。
【００３１】
[0038]ワイヤレスネットワーク１００は、異なるタイプのｅＮＢ、たとえば、マクロｅＮＢ、ピコｅＮＢ、フェムトｅＮＢ、中継ｅＮＢ、等、を含む異種ネットワークであり得る。これらの異なるタイプのｅＮＢは、ワイヤレスネットワーク１００において異なる伝送電力レベル、異なるカバレッジエリア、および干渉に対する異なるインパクトを有し得る。たとえば、マクロｅＮＢｓが、高い伝送電力レベル（たとえば、５から４０ワット）を有し得る一方で、ピコｅＮＢｓ、フェムトｅＮＢｓ、および中継ｅＮＢは、より低い伝送電力レベル（たとえば、０．１から２ワット）を有し得る。
【００３２】
[0039]ネットワークコントローラ１３０は、ｅＮＢのセットに結合され得、これらｅＮＢに対して協調および制御を提供し得る。ネットワークコントローラ１３０は、バックホール（backhaul）を介してｅＮＢと通信し得る。ｅＮＢはまた、たとえば、ワイヤレスまたはワイヤーラインバックホールを介して直接的にまたは間接的に互いに通信し得る。
【００３３】
[0040]ＵＥ１２０（たとえば、１２０ａ、１２０ｂ、１２０ｃ）は、ワイヤレスネットワーク１００中に散在しており、各ＵＥは、据置式または可動式であり得る。ＵＥは、アクセス端末、端末、モバイル局、加入者ユニット、局、等とも呼ばれ得る。ＵＥは、セルラ電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、タブレット、スマートフォン、ネットブック、スマートブック、ウルトラブック、等であり得る。複数の態様では、ＵＥは、ＭＴＣデバイスまたはウェアラブルデバイスを含み得る。図１では、両矢印付きの実線は、ＵＥと、ダウンリンクおよび／またはアップリンク上でＵＥにサービス提供するように指定されたｅＮＢであるサービングｅＮＢとの間の所望の送信を示す。両矢印付きの破線は、ＵＥとｅＮＢとの間の干渉する可能性のある送信を示す。
【００３４】
[0041]図２は、基地局／ｅＮＢ１１０およびＵＥ１２０の設計のブロック図を示し、これらは、図１に示された基地局／ｅＮＢのうちの１つおよびＵＥのうちの１つであり得る。基地局１１０には、Ｔ本のアンテナ２３４ａ〜２３４ｔが装備され得、ＵＥ１２０には、Ｒ本のアンテナ２５２ａ〜２５２ｒが装備され得、ここで、一般に、Ｔ≧１およびＲ≧１である。
【００３５】
[0042]基地局１１０において、送信プロセッサ２２０は、１つまたは複数のＵＥのためのデータをデータソース２１２から受け取り、ＵＥから受信されたＣＱＩに基づいて、各ＵＥのために１つまたは複数の変調およびコード化スキーム（ＭＣＳ）を選択し、そのＵＥのために選択された（１つまたは複数の）ＭＣＳに基づいて、ＵＥごとにデータを処理（たとえば、符号化および変調）し、すべてのＵＥについてのデータシンボルを供給し得る。送信プロセッサ２２０はまた、（たとえば、ＳＲＰＩ、等についての）システム情報および制御情報（たとえば、ＣＱＩ要求、グラント（grants）、上位レイヤシグナリング、等）を処理し、オーバーヘッドシンボルおよび制御シンボルを供給し得る。プロセッサ２２０はまた、同期信号（たとえば、ＰＳＳおよびＳＳＳ）および基準信号（たとえば、ＣＲＳ）のための基準シンボルを生成し得る。送信（ＴＸ）多入力多出力（ＭＩＭＯ）プロセッサ２３０は、適用可能であれば、データシンボル、制御シンボル、オーバーヘッドシンボル、および／または基準シンボルに対して空間処理（たとえば、プリコーディング）を実行し得、Ｔ個の出力シンボルストリームをＴ個の変調器（ＭＯＤ）２３２ａ〜２３２ｔに供給し得る。各変調器２３２は、（たとえば、ＯＦＤＭ、等のために）それぞれの出力シンボルストリームを処理して、出力サンプルストリームを取得し得る。各変調器２３２は、この出力サンプルストリームをさらに処理（たとえば、アナログ変換、増幅、フィルタリング、およびアップコンバート）して、ダウンリンク信号を取得し得る。変調器２３２ａ〜２３２ｔからのＴ個のダウンリンク信号は、それぞれ、Ｔ本のアンテナ２３４ａ〜２３４ｔを介して送信され得る。
【００３６】
[0043]ＵＥ１２０において、アンテナ２５２ａ〜２５２ｒは、基地局１１０および／または他の基地局からダウンリンク信号を受信し、受信した信号を、それぞれ、復調器（ＤＥＭＯＤ）２５４ａ〜２５４ｒに供給し得る。各復調器２５４は、その受信した信号を調整（たとえば、フィルタリング、増幅、ダウンコンバート、およびデジタル化）して、入力サンプルを取得し得る。各復調器２５４は、（たとえば、ＯＦＤＭ、等のために）入力サンプルをさらに処理して、受信シンボルを取得する。ＭＩＭＯ検出器２５６は、Ｒ個すべての復調器２５４ａ〜２５４ｒから受信シンボルを取得し、適用可能であれば、これら受信シンボルに対してＭＩＭＯ検出を実行し、検出されたシンボルを供給し得る。受信プロセッサ２５８は、検出されたシンボルを処理（たとえば、復調および復号）し、ＵＥ１２０についての復号済みデータをデータシンク２６０に供給し、復号済み制御情報およびシステム情報をコントローラ／プロセッサ２８０に供給し得る。チャネルプロセッサは、ＲＳＲＰ、ＲＳＳＩ、ＲＳＲＱ、ＣＱＩ、等を決定し得る。
【００３７】
[0044]アップリンク上では、ＵＥ１２０において、送信プロセッサ２６４が、データソース２６２からデータを、コントローラ／プロセッサ２８０から（たとえば、ＲＳＲＰ、ＲＳＳＩ、ＲＳＲＱ、ＣＱＩ、等を備える報告についての）制御情報を受け取り、処理し得る。プロセッサ２６４はまた、１つまたは複数の基準信号のために基準シンボルを生成し得る。送信プロセッサ２６４からのシンボルは、適用可能であれば、ＴＸ ＭＩＭＯプロセッサ２６６によってプリコーディングされ、（たとえば、ＳＣ−ＦＤＭ、ＯＦＤＭ、等のための）変調器２５４ａ〜２５４ｒによってさらに処理され、基地局１１０に送信され得る。基地局１１０において、ＵＥ１２０および他のＵＥからのアップリンク信号は、アンテナ２３４によって受信され、復調器２３２によって処理され、適用可能であれば、ＭＩＭＯ検出器２３６によって検出され、受信プロセッサ２３８によってさらに処理されて、ＵＥ１２０によって送られた復号済みデータおよび制御情報が取得され得る。プロセッサ２３８は、復号済みデータをデータシンク２３９に、復号済み制御情報をコントローラ／プロセッサ２４０に供給し得る。基地局１１０は、通信ユニット２４４を含み、通信ユニット２４４を介してネットワークコントローラ１３０に通信し得る。ネットワークコントローラ１３０は、通信ユニット２９４、コントローラ／プロセッサ２９０、およびメモリ２９２を含み得る。
【００３８】
[0045]コントローラ／プロセッサ２４０および２８０は、それぞれ、基地局１１０およびＵＥ１２０における動作を指図し得る。たとえば、基地局１１０におけるコントローラ／プロセッサ２４０および／または他のプロセッサおよびモジュールは、図５に示されるダイレクト動作５００を実行し得る。同様に、ＵＥ１２０におけるコントローラ／プロセッサ２８０および／または他のプロセッサおよびモジュールは、図６に示される動作６００を実行または指図し得る。メモリ２４２および２８２は、それぞれ、基地局１１０およびＵＥ１２０のためにデータおよびプログラムコードを記憶し得る。スケジューラ２４６は、ダウンリンクおよび／またはアップリンク上でのデータ送信についてＵＥをスケジューリングし得る。いくつかの態様では、図２に示される構成要素のうちの１つまたは複数は、例となるプロセス５００、６００および／または本明細書で説明される技法のための他のプロセスを実行するために用いられ得る。
【００３９】
[0046]図３は、ＬＴＥにおけるＦＤＤのための例示的なフレーム構造３００を示す。ダウンリンクおよびアップリンクの各々についての送信タイムラインは、無線フレームの単位（たとえば、図３に示されるように、無線フレームｔ−１、ｔ、ｔ−１、…）へと区分され得る。各無線フレームは、所定の持続時間（たとえば、１０ミリ秒（ｍｓ））を有し得、０〜９のインデックスを有する１０個のサブフレームに区分され得る（たとえば、図３に示されるように、無線フレームｔは、サブフレーム０〜サブフレーム１０へと区分される）。各サブフレームは、２つのスロットを含み得る。ゆえに、各無線フレームは、０〜１９のインデックスを有する２０個のスロットを含み得る（たとえば、図３に示されるように、サブフレーム０は、スロット０およびスロット１を含み、サブフレーム５は、スロット１０およびスロット１１を含む）。各スロットは、Ｌ個のシンボル期間、たとえば、（図３に示されるように）ノーマルサイクリックプレフィックスの場合には７個のシンボル期間を、または拡張サイクリックプレフィックスの場合には６個のシンボル期間を含み得る。各サブフレーム中の２Ｌ個のシンボル期間には、０〜２Ｌ−１のインデックスを割り当てられ得る（たとえば、図３に示されるように、スロット０は、シンボル０〜６を含み、スロット１は、シンボル７〜１３を含み、スロット１０は、シンボル０〜６を含み、スロット１１は、シンボル７〜１３を含む）。
【００４０】
[0047]ＬＴＥでは、ｅＮＢは、ｅＮＢによってサポートされるセルごとに、システム帯域幅の中心においてダウンリンク上でプライマリ同期信号（ＰＳＳ）およびセカンダリ同期信号（ＳＳＳ）を送信し得る。ＰＳＳおよびＳＳＳは、図３に示されるように、ノーマルサイクリックプレフィックスで各無線フレームのサブフレーム０および５中のそれぞれシンボル期間６および５において送信され得る。ＰＳＳおよびＳＳＳは、セル探索および捕捉のためにＵＥによって使用され得る。ｅＮＢは、ｅＮＢによってサポートされるセルごとに、システム帯域幅にわたってセル固有基準信号（ＣＲＳ）を送信し得る。ＣＲＳは、各サブフレームの特定のシンボル期間において送信され得、チャネル推定、チャネル品質測定、および／または他の機能を実行するためにＵＥによって使用され得る。ｅＮＢはまた、特定の無線フレームのスロット１中のシンボル期間０〜３において物理ブロードキャストチャネル（ＰＢＣＨ）を送信し得る。ＰＢＣＨは何らかのシステム情報を搬送し得る。ｅＮＢは、特定のサブフレームにおいて物理ダウンリンク共有チャネル（ＰＤＳＣＨ）上でシステム情報ブロック（ＳＩＢ）のような他のシステム情報を送信し得る。ｅＮＢは、サブフレームの最初のＢ個のシンボル期間において物理ダウンリンク制御チャネル（ＰＤＣＣＨ）上で制御情報／データを送信し得、ここで、Ｂはサブフレームごとに設定可能であり得る。ｅＮＢは、各サブフレームの残りのシンボル期間においてＰＤＳＣＨ上でトラフィックデータおよび／または他のデータを送信し得る。複数の態様では、上述した信号および／またはチャネルのうちの１つまたは複数は、異なる時間および／または周波数リソースで送信され得る。
【００４１】
[0048]図４は、ノーマルサイクリックプレフィックスでの２つの例示的なサブフレームフォーマット４１０および４２０を示す。利用可能な時間周波数リソースは、複数のリソースブロックへと区分され得る。各リソースブロックは、１つのスロットにおいて１２個のサブキャリアをカバーし得、多数のリソースエレメントを含み得る。各リソースエレメントは、１つのシンボル期間において１つのサブキャリアをカバーし得、実数値または複素数値であり得る１つの変調シンボルを送るために使用され得る。
【００４２】
[0049]サブフレームフォーマット４１０は、２本のアンテナに対して使用され得る。ＣＲＳは、シンボル期間０、４、７、および１１においてアンテナ０および１から送信され得る。基準信号は、送信機および受信機によってアプリオリ（a priori）に知られている信号であり、パイロットとも呼ばれ得る。ＣＲＳは、たとえば、セルアイデンティティ（ＩＤ）に基づいて生成された、セルに固有の基準信号である。図４では、ラベルＲａを有する所与のリソースエレメントについて、アンテナａからはそのリソースエレメント上で変調シンボルが送信され得、他のアンテナからはそのリソースエレメント上で変調シンボルは１つも送信されない。サブフレームフォーマット４２０は、４本のアンテナで使用され得る。ＣＲＳは、シンボル期間０、４、７、および１１においてアンテナ０および１から、シンボル期間１および８においてアンテナ２および３から送信され得る。サブフレームフォーマット４１０および４２０の両方について、ＣＲＳは、セルＩＤに基づいて決定され得る、均等に間隔が空けられたサブキャリアで送信され得る。ＣＲＳは、それらのセルＩＤに依存して、同一のまたは異なるサブキャリア上で送信され得る。サブフレームフォーマット４１０および４２０の両方について、ＣＲＳに対して使用されないリソースエレメントは、データ（たとえば、トラフィックデータ、制御データ、および／または他のデータ）を送信するために使用され得る。
【００４３】
[0050]ＬＴＥにおけるＰＳＳ、ＳＳＳ、ＣＲＳ、およびＰＢＣＨは、「Evolved Universal Terrestrial Radio Access (E-UTRA); Physical Channels and Modulation」と題する、３ＧＰＰ ＴＳ３６．２１１に記載されており、これは公に入手可能である。
【００４４】
[0051]インタレース構造は、ＬＴＥでのＦＤＤのためにダウンリンクおよびアップリンクの各々に対して使用され得る。たとえば、０〜Ｑ−１のインデックスを有するＱ個のインタレースが定義され得、ここで、Ｑは、４、６、８、１０、または何らかの他の値に等しいであろう。各インタレースは、Ｑ個のフレームだけ離間したサブフレームを含み得る。具体的には、インタレースｑは、サブフレームｑ、ｑ＋Ｑ、ｑ＋２Ｑ、等を含み得、ここで、ｑ∈｛０，…，Ｑ−１｝である。
【００４５】
[0052]ワイヤレスネットワークは、ダウンリンクおよびアップリンク上でのデータ送信のためにハイブリッド自動再送要求（ＨＡＲＱ）をサポートし得る。ＨＡＲＱの場合、送信機（たとえば、ｅＮＢ）は、パケットが受信機（たとえば、ＵＥ）によって正確に復号されるか、または何らかの他の終了条件に遭遇するまで、パケットの１つまたは複数の送信を送り得る。同期ＨＡＲＱの場合、パケットのすべての送信が、単一インタレースのサブフレームにおいて送られ得る。非同期ＨＡＲＱの場合、パケットの各送信が、任意のサブフレームにおいて送られ得る。
【００４６】
[0053]１つのＵＥが多数のｅＮＢのカバレッジ内に位置し得る。これらｅＮＢのうちの１つが、ＵＥにサービス提供するために選択され得る。サービングｅＮＢは、受信信号強度、受信信号品質、パスロス、等の様々な基準に基づいて選択され得る。受信信号品質は、信号対ノイズおよび干渉比（ＳＩＮＲ）、または、基準信号受信品質（ＲＳＲＱ）、あるいは何らかの他の基準によって数値化され得る。ＵＥは、干渉する１つまたは複数のｅＮＢからの高い干渉をＵＥが観測し得る支配的干渉シナリオで動作し得る。
【００４７】
[0054]図４Ａは、ＬＴＥにおけるアップリンク（ＵＬ）フレーム構造４５０の例を例示する図である。ＵＬのための利用可能なリソースブロックは、データセクションおよび制御セクションへと区分され得る。制御セクションは、システム帯域幅の２つのエッジに形成され得、設定可能なサイズを有し得る。制御セクション内のリソースブロックは、制御情報の送信のためにＵＥに割り当てられ得る。データセクションは、制御セクションに含まれないすべてのリソースブロックを含み得る。ＵＬフレーム構造は、連続したサブキャリアを含むデータセクションに帰着し（results in）、これは、単一のＵＥに、データセクション内のすべての連続したサブキャリアが割り当てられることを可能にし得る。
【００４８】
[0055]ＵＥは、ｅＮＢに制御情報を送信するために、制御セクション内のリソースブロック４５０ａ、４５０ｂが割り当てられ得る。ＵＥはまた、ｅＮＢにデータを送信するために、データセクション内のリソースブロック４７０ａ、４７０ｂが割り当てられ得る。ＵＥは、制御セクション内の割り当てられたリソースブロック上で、物理ＵＬ制御チャネル（ＰＵＣＣＨ）において制御情報を送信し得る。ＵＥは、データセクション内の割り当てられたリソースブロック上で、物理ＵＬ共有チャネル（ＰＵＳＣＨ）においてデータのみをまたはデータと制御情報の両方を送信し得る。ＵＬ送信は、サブフレームの両スロットにまたがり得、複数の周波数にわたってホッピングし得る。
【００４９】
[0056]リソースブロックのセットは、初期システムアクセスを実行し、物理ランダムアクセスチャネル（ＰＲＡＣＨ）４８０において、ＵＬ同期を達成するために使用され得る。ＰＲＡＣＨ４８０は、ランダムシーケンスを搬送し、ＵＬデータ／シグナリングを搬送することはできない。各ランダムアクセスプリアンブルは、６つの連続したリソースブロックに対応する帯域幅を占有する。開始周波数はネットワークによって指定される。すなわち、ランダムアクセスプリアンブルの送信は、特定の時間および周波数リソースに制限される。ＰＲＡＣＨについては、周波数ホッピングは存在しない。ＰＲＡＣＨ試みは、（たとえば、１ｍｓの）単一のサブフレームにおいてまたは一連の連続したほんの少数のサブフレームにおいて搬送され、ＵＥは、（たとえば、１０ｍｓの）１フレームあたり単一のＰＲＡＣＨ試みのみを行うことができる。複数の態様では、上述した信号および／またはチャネルのうちの１つまたは複数は、異なる時間および／または周波数リソースで送信され得る。
【００５０】
[0057]上で示したように、図４および４Ａが例として提供される。他の例が可能であり、図４および４Ａに関連して上で説明したものとは異なり得る。
【００５１】
単一受信機デバイスのための例となるリンクバジェット強化
[0058]特定のワイヤレスネットワーク（たとえば、ロングタームエボリューション（ＬＴＥ））では、ＵＥカテゴリ情報は、（たとえば、ｅＮＢ１１０のような）基地局が、ＵＥ１２０によってサポートされている性能レベルを定義することで、それに接続されている（たとえば、ＵＥ１２０のような）ＵＥと効率的に通信することを可能にするために使用され得る。たとえば、ＵＥカテゴリは、ＵＥの組み合されたアップリンクおよびダウンリンク能力を定義する。ＵＥカテゴリに関連付けられた能力は、（たとえば、３ＧＰＰ ＴＳ３６．３０６に定められているような）ワイヤレス規格で定義され得る。ＵＥカテゴリがＵＥ１２０の総合的な性能および能力を定義するため、ｅＮＢ１１０は、ＵＥ１２０のＵＥカテゴリに基づいて、ＵＥ１２０が所有しているとｅＮＢ１１０が知っている能力にしたがって決定されたパラメータを使用して通信することができる。たとえば、ｅＮＢ１１０は、ＵＥ１２０の性能能力を超えないパラメータを使用して通信し得る。
【００５２】
[0059]マシン型通信（ＭＴＣ）デバイス（たとえば、ＭＴＣ ＵＥ）およびウェアラブル（たとえば、ユーザによって着用され得るワイヤレスデバイス）は、ＵＥカテゴリ１（ＣＡＴ１）を低頻度で送信し得るので、単一受信機（たとえば、ここでは、デバイスが単一の受信チェーンだけを有する）は、ＭＴＣデバイスおよび／またはウェアラブルにとって共通の選択であり得る。単一ＲＸはまた、これらのデバイスが、たとえば、ウェアラブルおよびＭＴＣデバイスに望まれ得るより小さい形状因子（form factor）を有することを可能にし得る。ＣＡＴ１ ＵＥは、単一レイヤ（たとえば、ランク１）をサポートし得、したがって、多入力多出力（ＭＩＭＯ）通信をサポートしない。ＣＡＴ１ ＵＥは、特定のピークダウンリンクおよびアップリンクスループット（たとえば、より高いＵＥカテゴリを有するＵＥより低いピークスループット）に限定され得る。単一受信機（１ＲＸ）デバイスは、単一の受信チェーンだけを有し、したがって、ＤＬリンクバジェットに対して重要なインパクトを有し得るダイバーシティを欠いている。たとえば、探索／モビリティ性能、制御チャネル性能、および／またはシグナリングおよび音声データ性能にわたって最大で４ｄＢの損失があり得る。
【００５３】
[0060]したがって、（たとえば、ＬＴＥにおいて）単一受信機デバイスのためのリンクバジェットを強化するための技法および装置が望まれる。
【００５４】
[0061]本開示の態様は、ＵＥが、ＵＥのカテゴリおよび／またはＵＥにおけるサポートされる受信機の数を基地局に示すための技法を提供する。次いで、ＢＳは、ＵＥカテゴリと（たとえば、示された能力に基づいてＢＳによって仮定される）ＵＥにおける受信機の数とに基づいて、送信パラメータを決定し得る。たとえば、本開示の態様は、たとえば、ＬＴＥにおいて、単一受信機デバイスとの通信に対して使用され得る強化されたシグナリングプロシージャのための技法を提供する。
【００５５】
[0062]図５は、本開示の特定の態様に係る、ワイヤレス通信のための例となる動作５００のフロー図である。動作５００は、たとえば、ＢＳ（たとえば、ｅＮＢ１１０）によって実行され得る。動作５００は、ＵＥ（たとえば、ＵＥ１２０）から、ＵＥ１２０のカテゴリを示すインジケーションを受信することで、５０２から開始し得、ここにおいて、ＵＥ１２０のカテゴリは、ＵＥ１２０によってサポートされる最大スループットまたはＵＥ１２０によってサポートされるレイヤの数のうちの少なくとも１つを示す。
【００５６】
[0063]５０４において、ｅＮＢ１１０は、ＵＥ１２０のカテゴリに基づいて、ＵＥ１２０における受信機の数を仮定する。
【００５７】
[0064]５０６において、ｅＮＢ１１０は、ＵＥ１２０の受信機の数に基づいて、１つまたは複数の送信パラメータを決定する。
【００５８】
[0065]５０８において、ｅＮＢ１１０は、１つまたは複数の送信パラメータにしたがって、ＵＥ１２０と通信する。
【００５９】
[0066]図６は、本開示の特定の態様に係る、ワイヤレス通信のための例となる動作６００のフロー図である。動作６００は、たとえば、ＵＥ（たとえば、ＵＥ１２０）によって実行され得る。動作６００は、ｅＮＢ１１０によって実行される動作６００に対する、ＵＥ１２０によって実行される相補的な動作であり得る。動作６００は、ＵＥのカテゴリを示すインジケーションをＢＳ（たとえば、ｅＮＢ１１０）に送ることで、６０２から開始し得、ここにおいて、ＵＥ１２０のカテゴリは、ＵＥによってサポートされる最大スループットまたはＵＥ１２０によってサポートされるレイヤの数のうちの少なくとも１つを示す。
【００６０】
[0067]６０４において、ＵＥ１２０は、ＢＳによる、ＵＥ１２０における受信機の数の仮定に基づいて決定された１つまたは複数の送信パラメータにしたがって送信された１つまたは複数の送信をＢＳから受信する。
【００６１】
例となるＵＥ−ｅＮＢハンドシェイク
[0068]ＵＥによるＣＡＴ０を示すインジケーションは、ＵＥが単一ＲＸ ＵＥであることをｅＮＢに示し得る。しかしながら、特定のＵＥ（たとえば、ワイヤレスＬＴＥ規格のリリース１１またはそれ以前のものにしたがって動作するＵＥ）は、ＣＡＴ０をサポートしないであろう。ＵＥによるＣＡＴ１の宣言は、ＵＥがランク１をサポートすることを示すが、ＵＥは、サポートされるレイヤより多くの受信チェーンをサポートすることができる。たとえば、ＵＥがＣＡＴ１を宣言し得るとはいえ、ＵＥは、単一の受信チェーンより多く有することができる。ゆえに、ｅＮＢがＵＥからＣＡＴ１を示すインジケーションを受信するとき、ｅＮＢは、ＵＥが単一の受信チェーンを有するか複数の受信チェーンを有するか知り得ない。ゆえに、ＵＥカテゴリを示すインジケーションに加えて、ＵＥが、ＵＥにおける受信機の数をｅＮＢに示すこと（たとえば、ｅＮＢがＵＥの受信機の数を仮定し得る基となる信号をシグナリングすること）が望まれ得る。
【００６２】
[0069]１つの例となる実施（implementation）では、ｅＮＢ１１０は、（たとえば、ＵＥ１２０からアップリンクメッセージにおいて受信される）ＵＥカテゴリを示すインジケーションに基づいて、ＵＥ１２０における受信機の数を推測することができる。たとえば、ＵＥ ＣＡＴ１カテゴリ分類が１ＲＸ構成とペアリングされ、ゆえに、ＵＥ１２０がｅＮＢ１１０にＣＡＴ１を報告（たとえば、示す）場合、ＵＥ１２０における受信機の数が１つ（たとえば、１ＲＸ ＵＥ）であるとｅＮＢ１１０が推測（たとえば、仮定）し得るといえるであろう。しかしながら、上述したように、いくつかのケースでは、ＣＡＴ１ ＵＥ１２０は、複数の受信チェーンを有し得る（たとえば、１ＲＸ ＵＥではない場合がある）。
【００６３】
[0070]特定の態様によれば、ＵＥ１２０は、ＵＥ１２０が単一受信機を有することをｅＮＢ１１０に宣言するために、無線リソース制御（ＲＲＣ）メッセージにおけるいくつかの既存のリザーブドビットを再利用し得る。
【００６４】
[0071]特定の態様によれば、ＵＥ１２０は、ＵＥ１２０における受信機の数をｅＮＢ１１０に示すために、ＵＥ１２０のＵＥカテゴリを特定していないパラメータにしたがったシグナリング（たとえば、オーバローディング）を使用し得る。
【００６５】
[0072]チャネル状態フィードバック（ＣＳＦ）は、ＵＥがネットワークにアタッチされると、ＵＥによって送信される。ＵＥは、信号対ノイズ比（ＳＮＲ）、プリコーディング行列インジケータ（ＰＭＩ）、サポートされるランク、チャネル品質インジケータ（ＣＱＩ）、等についてｅＮＢに知らせるためにＣＳＦを送り得る。別の例となる実施では、ＵＥ１２０は、ＵＥ１２０における受信チェーンの数をＢＳ１１０に知らせるためにＣＳＦを使用し得る。ＣＡＴ１ ＵＥ１２０がランク１の送信しかサポートすることができないため、ＣＡＴ１ ＵＥ１２０によるランク２のＣＳＦ報告は、ＵＥ１２０における受信機の数を示すために、ｅＮＢ１１０とＵＥ１２０との間のシグナリングメカニズムとして使用され得る。たとえば、ＣＡＴ１ ＵＥ１２０は、ＵＥが単一の受信チェーンを有すること（たとえば、ＵＥが単一ＲＸ ＵＥであること）をｅＮＢ１１０に示すために、ランク２のＣＳＦ報告をｅＮＢ１１０に送る場合。
【００６６】
[0073]さらに別の例となる実施では、ｅＮＢ１１０は、ＵＥ識別情報（ＵＥ ＩＤ）に基づいて、ＣＡＴ１ ＵＥ１２０を単一受信機ＵＥとして識別し得る。
【００６７】
[0074]さらに別の例となる実施では、ｅＮＢ１１０は、ＣＡＴ１ ＵＥに適用できない特徴についてのＵＥ能力シグナリング（UE capability signaling）の特定の値（たとえば、オーバローディング）に基づいて、ＣＡＴ１ ＵＥ１２０を単一受信機ＵＥとして識別し得る。ＣＡＴ１能力への適用ではない特徴をオーバローディングすることの一例は、２５６ＱＡＭであり、２５６ＱＡＭは、ＣＡＴ１ ＵＥへの適用ではない特徴であり、したがって、ＵＥ１２０は、ＵＥが単一ＲＸ ＵＥであることを暗示する、２５６ＱＡＭ能力のためのサポートをｅＮＢ１１０にシグナリングし得る。
【００６８】
[0075]さらに別の例となる実施では、ｅＮＢ１１０は、特定のＣＱＩ値に基づいて、ＣＡＴ１ ＵＥ１２０を単一受信機ＵＥとして識別し得る。たとえば、ＵＥ１２０は、ＣＱＩ−スペクトル効率（ＳＰＥＦ）マッピングに基づいて、（たとえば、最も低い規定のＳＰＥＦから３ｄＢ低い）固定ＳＰＥＦにマッピングされ得るＣＱＩ ０をダウンリンクに対して示し得る。
【００６９】
[0076]特定の態様によれば、ＵＥ１２０は、ＵＥが悪いチャネル条件を経験しているとき、ＵＥが１ＲＸ ＵＥであることを示すインジケーションを送り得る。
【００７０】
[0077]特定の態様によれば、本明細書の記述はＣＡＴ１に焦点を当てているが、本明細書で記述される技法は、たとえば、単一レイヤより多くをサポートし得るものより上のＵＥカテゴリといった他のＵＥカテゴリに対しても使用され得る。
【００７１】
[0078]特定の態様によれば、ｅＮＢ１１０は、特定の伝送モード（ＴＭ）および／または特定のランクでグラントを送ることで、ＵＥ１２０からのインジケーションに応答し得る。たとえば、ｅＮＢ１１０は、新しいＣＱＩ−ＳＰＥＦマッピングを使用して、ＴＭ３ ランク１のグラントだけを提供し得る。ｅＮＢ１１０は、単一レイヤでランク２のグラントを送ることで、ＵＥ１２０からのインジケーションに確認応答し得る。確認応答は、ｅＮＢが、以下で説明される強化された（たとえば、調節されたまたは最適化された）シグナリングプロシージャを使用するであろうことをＵＥに示し得、これは、ＵＥが、強化されたシグナリングを送信することおよび／またはeＮＢからの強化されたシグナリングを探す／モニタすることを可能にし得る。特定の態様によれば、ダウンリンク制御情報（ＤＣＩ）フォーマット２、２Ａ、２Ｂ、２Ｃ、および２Ｄでは、トランスポートブロックは、ＭＣＳ＝０かつＲＶｉｄｘ＝１ではディセーブルにされ得、そうでなければ、トランスポートブロックはイネーブルにされる。
【００７２】
[0079]特定の態様によれば、ＵＥ１２０とｅＮＢ１１０との間のシグナリングは、ＵＥ１２０における受信機の数をｅＮＢ１１０に示すことと、調節されたシグナリングプロシージャを開始することとを行うためのハンドシェイク交換を定義し得る。
【００７３】
単一ＲＸ ＵＥのための例となるシグナリング強化
[0080]特定の態様によれば、たとえば、上で説明したハンドシェイクプロシージャによって、ＣＡＴ１ ＵＥ１２０が単一ＲＸ ＵＥであることにｅＮＢ１１０が気づくと、ｅＮＢ１１０は、ＵＥとの通信のために使用する送信パラメータを決定および／または調節し得る。たとえば、ｅＮＢ１１０は、単一ＲＸ ＣＡＴ１ ＵＥ１２０との通信のために、強化された（たとえば、最適化された）シグナリングを使用し得る。複数の態様では、強化されたシグナリングは、単一ＲＸ ＵＥのためのリンクバジェットを増やそうとするものであり得る。強化されたシグナリングは、時間および／または周波数ダイバーシティ、電力ブーストを使用することで、および／または、スペクトル効率（ＳＰＥＦ）を低下させることで、（すなわち、ＵＥが単一ＲＸであるとの事実により）低減された空間ダイバーシティを補償し得るか、いずれのダイバーシティも補償しないであろう。
【００７４】
[0081]特定の態様によれば、ＵＥ１２０は、電力を節約するために、（たとえば、調節されたシグナリングをトリガするための）インジケーションをｅＮＢ１１０にいつ送るかを選択的に選び得る。たとえば、ＵＥ１２０は、チャネル条件が悪いときにインジケーションを送り得る。
【００７５】
例となる調節されたＣＱＩ−ＳＰＥＦマッピング
[0082]特定の態様によれば、チャネル品質インジケータ（ＣＱＩ）報告のための低スペクトル効率がイネーブルにされ得る。例となる実施では、ＣＱＩ−ＳＰＥＦマッピングがオフセットされ得る。たとえば、ｅＮＢ１１０は、ＵＥ１２０からの報告されたＣＱＩ値が、より低いＳＰＥＦ値に対応する（たとえば、マッピングされる）ように、ＣＱＩ−ＳＰＥＦ（たとえば、ｅＮＢ１１０において記憶されたテーブル）をマッピングまたは再マッピングし得る。複数の態様では、ｅＮＢ１１０は、ＵＥ１２０との通信に使用する変調およびコード化スキーム（ＭＣＳ）を選択するために、新しいＣＱＩ−ＳＰＥＦマッピングを使用し得る。より低いＳＰＥＦ値マッピングは、より大きいトランスポートブロックサイズをもたらし得、したがって、ＵＥ１２０との通信のためのより高いスループットをもたらす。
【００７６】
例となる調節されたＰＳＳ／ＳＳＳ送信
[0083]（たとえば、典型的にｅＮＢによって５ｍｓごとに送信される）プライマリ同期信号（ＰＳＳ）およびセカンダリ同期信号（ＳＳＳ）が、ｅＮＢ１１０と同期するために、ＵＥ１２０によって復号される。特定の態様によれば、ＵＥにおけるサポートされる受信機の数を示すインジケーションを受信すると、および／または、ｅＮＢ１１０がＵＥ１２０の受信機の数を仮定する（たとえば、決定する）基になる他の情報を受信すると、ｅＮＢ１１０は、たとえば、単一ＲＸ ＵＥのための強化されたシグナリングプロシージャの一部として、ＰＳＳ／ＳＳＳのためのシグナリングを調節し得る。
【００７７】
[0084]例となる実施では、追加のＳＳＳ／ＰＳＳオポチュニティを加えることで探索性能が改善され得る（たとえば、本明細書で使用される場合、追加の繰り返しは、ワイヤレス規格に定義され得る繰り返しの数を超える繰り返しを指し得る）。たとえば、ＰＳＳ／ＳＳＳを５ｍｓごとに（たとえば、サブフレームごとに）送信する代わりに、ＰＳＳ／ＳＳＳは、（たとえば、すべてのサブフレームにおいて）１ｍｓごとに送信され得る。時間領域における繰り返しパターンは、隣接するセルにわたって異なり得る（たとえば、ｅＮＢ１１０からのパターンは一意であり得る）。特定の態様によれば、ＵＥ１２０は、（たとえば、ｅＮＢ１１０からハンドシェイク確認応答を受信することに基づいて、）強化されたシグナリングプロシージャに気づき得る。たとえば、ＵＥ１２０は、ＰＳＳ／ＳＳＳ繰り返しを探し（たとえば、モニタし）始め得る。１ｍｓごとのＰＳＳ／ＳＳＳの例では、ＵＥ１２０は、各サブフレームにおいてＰＳＳ／ＳＳＳを探し始め得る。
【００７８】
[0085]追加的または代替的に、ＰＳＳおよび／またはＳＳＳは、電力ブースト（たとえば、ＰＳＳ／ＳＳＳが典型的に送信される電力レベルより高い電力レベルで送信）され得、これは、ＵＥジオメトリを効率的に改善し得る。オプションで、電力ブーストは、ＰＳＳ／ＳＳＳの新しいインスタンスだけに制限され得、換言すると、ｅＮＢ１１０は、追加されたＰＳＳ／ＳＳＳ繰り返し（たとえば、ＰＳＳ／ＳＳＳオポチュニティ）に対してのみ電力ブーストすることを適用し得る。これは、シグナリングが、旧来のタイプのＵＥと下位互換性をもつことを可能にし得る。特定の態様によれば、ＰＳＳおよび／またはＳＳＳ繰り返しは、セル固有基準信号（ＣＲＳ）を搬送しないシンボルで送信され得る。
【００７９】
[0086]追加的または代替的に、周波数分割複信（ＦＤＤ）システムの場合、ｅＮＢ１１０は、ＵＥ１２０の短縮検索（たとえば、成功裏な検索のための早期終了）を可能にするために、同期インジケーションをＵＥ１２０に送り得る。
【００８０】
[0087]特定の態様によれば、電力ブーストおよび繰り返しのために上で説明した技法は、その他のチャネルについての以下で説明される技法の任意のものに対して適用され得る。
【００８１】
例となる調節されたＰＢＣＨ送信
[0088]（たとえば、ｅＮＢによって１０ｍｓのＲＶ繰り返しを伴って４０ｍごとに典型的に送信される）物理ブロードキャストチャネル（ＰＢＣＨ）は、システム（たとえば、送信アンテナの数、サブフレーム番号、等）についての情報を有するマスタ情報ブロック（ＭＩＢ）を含み得、ＵＥがネットワークにアタッチする前に、ＵＥによって復号され得る。
【００８２】
[0089]特定の態様によれば、１２０におけるサポートされる受信機の数を示すインジケーションを受信すると、および／または、ｅＮＢ１１０がＵＥの受信機の数を仮定する基となる他の情報を受信すると、ｅＮＢ１１０は、たとえば、単一ＲＸ ＵＥのための強化されたシグナリングプロシージャの一部として、ＰＢＣＨのためのシグナリングを調節し得る。ＰＢＣＨ性能は、より速い（たとえば、より頻繁な）ＰＢＣＨ繰り返しにより改善され得る。一例では、ｅＮＢ１１０は、１０ｍｓごとに１度より頻繁にＰＢＣＨを送信し得る（たとえば、そして、ＵＥは、ＰＢＣＨを探し／モニタし得る）。時間領域における繰り返しパターンは、隣接するセルにわたって異なり得る（たとえば、ｅＮＢ１１０からのパターンは一意であり得る）。
【００８３】
[0090]追加的または代替的に、ＰＢＣＨは、電力ブーストされ得る。オプションで、電力ブーストは、ＰＢＣＨの新しいインスタンスだけに、換言すると、追加された繰り返しだけに制限され得る。
【００８４】
繰り返しのためのリソースの例となる制限
[0091]特定の態様によれば、ＵＥにおけるサポートされる受信機の数を示すインジケーションを受信すると、および／または、ｅＮＢ１１０がＵＥの受信機の数を仮定する基となる他の情報を受信すると、ｅＮＢ１１０は、（たとえば、単一ＲＸ ＵＥのための強化されたシグナリングプロシージャの一部として、）調節されたシグナリングを送るために使用する特定のリソース（たとえば、周波数および／または時間リソース）を決定することで、シグナリングを調節し得る。たとえば、スケジューラ（たとえば、ｅＮＢ１１０）は、送信のために特定の周波数リソースをスケジューリングし得る。一例では、中央の６つのリソースブロック（ＲＢ）が、調節するシグナリングを送るためにスケジューリングされる。追加的または代替的に、スケジューラは、送信のために特定の時間リソースをスケジューリングし得る。一例では、スケジューラは、マルチメディア単一周波数ネットワーク（ＭＢＳＦＮ）サブフレームおよびＵＥ固有基準信号（ＵＥ−ＲＳ）送信を回避するために、繰り返し用のサブフレーム＃０および／またはサブフレーム＃５だけをスケジューリングし得る。
【００８５】
例となる調節されたＰＤＣＣＨ送信
[0092]ＵＥ１２０がネットワークにアタッチすると、ＵＥ１２０は、物理ダウンリンク制御チャネル（ＰＤＣＣＨ）において復号グラントを探し得る。特定の態様によれば、ＵＥ１２０におけるサポートされる受信機の数を示すインジケーションを受信すると、および／または、ｅＮＢ１１０がＵＥの受信機の数を仮定する基となる他の情報を受信すると、ｅＮＢ１１０は、（たとえば、単一ＲＸ ＵＥのための強化されたシグナリングプロシージャの一部として、）ＰＤＣＣＨ送信のためのシグナリングを調節し得る。
【００８６】
[0093]例となる実施では、ｅＮＢ１１０は、電力ブーストでＰＤＣＣＨを送信し得る。電力ブーストされたＰＤＣＣＨ送信は、高められたトラッフィック対パイロット比（ＴＰＲ）を有し得る。ＰＤＣＣＨ送信のためのチャネルフォーマットインジケータ（ＣＦＩ）もまた上げられ得、それによって、ＰＤＣＣＨ容量は、より高いアグリゲーションレベルの使用のために増やされる。たとえば、サブフレームにおけるＰＤＣＣＨ送信に対して使用されるシンボルの数が増やされ得る。
【００８７】
[0094]追加的または代替的に、ＰＤＣＣＨは、（たとえば、より多くのパリティビットの送信を引き起こすことで）ＳＰＥＦを低減するために、高められたアグリゲーションレベル（たとえば、ＡＧＧ１６以上）で送信され得る。
【００８８】
[0095]追加的または代替的に、ＰＤＣＣＨ繰り返しは、周波数および／または時間領域において送信され得る。
【００８９】
例となる調節されたＰＨＩＣＨ送信
[0096]特定の態様によれば、ＵＥ１２０におけるサポートされる受信機の数を示すインジケーションを受信すると、および／または、ｅＮＢ１１０がＵＥの受信機の数を仮定する基となる他の情報を受信すると、ｅＮＢ１１０は、（たとえば、単一ＲＸ ＵＥのための強化されたシグナリングプロシージャの一部として、）物理的なハイブリッド自動再送要求（ＨＡＲＱ）インジケータチャネル（ＰＨＩＣＨ）送信のためのシグナリングを調節し得る。
【００９０】
[0097]例となる実施では、ＰＨＩＣＨは、ＴＰＲを高めるために電力ブーストされ得る。
【００９１】
[0098]追加的または代替的に、ＰＨＩＣＨ送信が繰り返され得る。
【００９２】
例となる調節されたＳＩＢ送信
[0099]システム情報ブロック（ＳＩＢ）は、再選択パラメータ、アタッチメント、等に関する情報を含む。特定の態様によれば、ＵＥ１２０におけるサポートされる受信機の数を示すインジケーションを受信すると、および／または、ｅＮＢ１１０がＵＥの受信機の数を仮定する基となる他の情報を受信すると、ｅＮＢ１１０は、（たとえば、単一ＲＸ ＵＥのための強化されたシグナリングプロシージャの一部として、）ＳＩＢ送信のためのシグナリングを調節し得る。
【００９３】
[0100]１つの例となる実施では、ＳＩＢ送信は、ＴＰＲを高めるために電力ブーストされ得る。
【００９４】
[0101]追加的または代替的に、ＳＩＢ送信が繰り返され得る。
【００９５】
[0102]追加的または代替的に、固定のグラントサイズは、ＳＰＥＦを低減するために、追加のＲＢを含み得る。
【００９６】
例となる調節されたページングオケイジョン送信
[0103]特定の態様によれば、ＵＥ１２０におけるサポートされる受信機の数を示すインジケーションを受信すると、および／または、ｅＮＢ１１０がＵＥの受信機の数を仮定する基となる他の情報を受信すると、ｅＮＢ１１０は、（たとえば、単一ＲＸ ＵＥのための強化されたシグナリングプロシージャの一部として、）ページング送信のためのシグナリングを調節し得る。
【００９７】
[0104]１つの例となる実施では、ページングは、ＴＰＲを高めるために電力ブーストされ得る。
【００９８】
[0105]追加的または代替的に、ページングオケイジョン（ＰＯ：paging occasions）は、他のＰＯにわたってまたは不連続受信（ＤＲＸ）サイクルにわたって繰り返され得る。
【００９９】
[0106]追加的または代替的に、固定のグラントサイズは、コードレートを低減するために、追加のＲＢを含み得る。
【０１００】
例となる調節されたＰＤＳＣＨ送信
[0107]特定の態様によれば、ＵＥ１２０におけるサポートされる受信機の数を示すインジケーションを受信すると、および／または、ｅＮＢ１１０がＵＥの受信機の数を仮定する基となる他の情報を受信すると、ｅＮＢ１１０は、（たとえば、単一ＲＸ ＵＥのための強化されたシグナリングプロシージャの一部として、）物理ダウンリンク共有チャネル（ＰＤＳＣＨ）（たとえば、データ）送信のためのシグナリングを調節し得る。
【０１０１】
[0108]１つの例となる実施では、時間領域における送信時間インターバル（ＴＴＩ）バンドリング（たとえば、サブフレームバンドリング）が使用され得る。このケースでは、複数のサブフレームにおいて同じパケットが送信され（たとえば、繰り返され）得る。ＰＤＳＣＨのためのより多い数のＨＡＲＱ送信（higher number of HARQ transmissions）では繰り返しが増やされ得る（たとえば、より高いＨＡＲＱ数が使用され得る）。
【０１０２】
[0109]追加的または代替的に、より多い数の送信ポート（たとえば、アンテナ）が、送信ダイバーシティを可能にするために（ＵＥ−ＲＳのための）ＰＤＳＣＨに対して使用され得る。
【０１０３】
[0110]追加的または代替的に、ＭＣＳテーブルは、再マッピングされ得、たとえば、より低いＳＰＥＦは、｛ＲＢ，ＭＣＳ｝ペアの所与の値に対してトランスポートブロックサイズ（ＴＢＳ）を再マッピングすることでイネーブルにされ得る。特定の態様によれば、ｅＮＢは、１ＲＸ ＵＥに適合しているグラントを示すために、特定のＭＣＳ（たとえば、ＭＣＳ２９以上）を再利用し得る。
【０１０４】
[0111]追加的または代替的に、ＰＤＳＣＨのためのＴＰＲがブーストされ得る（たとえば、ＰＤＳＣＨが電力ブーストされ得る）。特定の態様によれば、ＴＲＰ推定は、直交位相偏移キーイング（ＱＰＳＫ）についてイネーブルにされ得る。代替的に、ｅＮＢ１１０は、調節された送信をもつモードで動作しつつ、どのＴＰＲをＱＰＳＫのために仮定するかをＵＥ１２０に知らせ得る。さらに別の例として、ＰＡ／ＰＢ値が、（正のバイアスを伴って）１６／６４ＱＡＭのために再マッピングされ得る。
【０１０５】
[0112]特定の態様によれば、ｅＮＢ１１０およびＵＥ１２０は、上で説明した技法の任意の組み合わせを使用し得る。たとえば、強化されたシグナリングは、ＰＤＳＣＨに対してのみ使用され得るか、すべてのチャネルに対して使用され得る。
【０１０６】
[0113]特定の態様によれば、同様の技法が、アップリンクリンクバジェット強化に対して使用され得る。たとえば、繰り返しは、物理アップリンク制御チャネル（ＰＵＣＣＨ）、サウンディング基準信号（ＳＲＳ）、（たとえば、ＴＴＩ内の）復調基準信号（ＤＭ−ＲＳ）、（たとえば、１行に２度繰り返され得る）ランダムアクセスチャネル（ＲＡＣＨ）、および／またはランク２に対して使用される両方のＱＰＳＫ次元上のランク１の確認応答ビットに対して使用され得る。
【０１０７】
[0114]図７は、本開示の特定の態様に係る、示されたＵＥカテゴリとＵＥにおける受信機の数とに基づいて、通信パラメータを設定するための例となる動作７００を例示する例となる呼フローである。図７に示すように、１において、（たとえば、ＭＴＣデバイスまたはウェアラブルであり得る）ＵＥ７０２は、ＵＥカテゴリを示すインジケーション（たとえば、ＣＡＴ１）をｅＮＢ７０２に送り得る。２において、ＵＥ７０２は、ＵＥにおける受信機の数を示すインジケーション（たとえば、１ＲＸ）（たとえば、または、ｅＮＢ７０４が受信機の数を決定または仮定する基となる情報またはシグナリング）を送る。３において、ｅＮＢ７０４は、ＵＥカテゴリと受信機の数とに基づいて、送信パラメータを決定し、４において、ｅＮＢ７０４は、決定された送信パラメータにしたがってＵＥに送信する。
【０１０８】
[0115]特定の態様によれば、本明細書で提供される技法は、ダイバーシティチェーンの欠落によるリンクバジェット損失を緩和し得る。特定の態様によれば、上記技法の任意の組み合わせが使用され得る。たとえば、いくつかのケースでは、それらは、ＰＤＳＣＨ強化に対してのみ使用され得、他のケースでは、それらは、説明したすべてのチャネルに対して使用され得る。
【０１０９】
[0116]本明細書で開示された方法は、説明された方法を達成するための１つまたは複数のステップまたはアクションを備える。方法のステップおよび／またはアクションは、特許請求の範囲から逸脱することなく互いと置き換えられ得る。換言すると、ステップまたはアクションの特定の順序が明記されていない限り、特定のステップおよび／またはアクションの順序および／または使用は、特許請求の範囲から逸脱することなく修正され得る。
【０１１０】
[0117]本明細書で使用される場合、複数の項目からなるリスト「のうちの少なくとも１つ」を参照する表現は、単一のメンバを含む、それらの項目の任意の組み合わせを指す。例として、「ａ、ｂ、またはｃのうちの少なくとも１つ」は、ａ、ｂ、ｃ、ａとｂ、ａとｃ、ｂとｃ、およびａとｂとｃに加え、同一の要素の重複を有する任意の組み合わせ（たとえば、ａとａ、ａとａとａ、ａとａとｂ、ａとａとｃ、ａとｂとｂ、ａとｃとｃ、ｂとｂ、ｂとｂとｂ、ｂとｂとｃ、ｃとｃ、およびｃとｃとｃ、またはａ、ｂ、およびｃの任意の他の順序）をカバーするよう意図される。
【０１１１】
[0118]本明細書で使用される場合、「決定する」という用語は、幅広いアクションを包含する。たとえば、「決定する」には、算出する、計算する、処理する、導出する、調査する、ルックアップする（たとえば、表、データベース、または別のデータ構造をルックアップする）、確定する、等が含まれ得る。また、「決定する」には、受信する（たとえば、情報を受信する）、アクセスする（たとえば、メモリ内のデータにアクセスする）、等が含まれ得る。また、「決定する」には、解決する、選択する、選ぶ、確立する、等が含まれ得る。
【０１１２】
[0119]いくつかのケースでは、デバイスは、フレームを実際に送信するのではなく、送信のためにフレームを出力するためのインターフェースを有し得る。たとえば、プロセッサは、送信のためのＲＦフロントエンドに、バスインターフェースを介して、フレームを出力し得る。同様に、デバイスは、フレームを実際に受信するのではなく、別のデバイスから受信されるフレームを取得するためのインターフェースを有し得る。たとえば、プロセッサは、送信のためのＲＦフロントエンドから、バスインターフェースを介して、フレームを取得（または、受信）し得る。
【０１１３】
[0120]上で説明した方法の様々な動作は、対応する機能を実行することができる任意の好適な手段によって実行され得る。これら手段は、回路、特定用途向け集積回路（ＡＳＩＣ）、またはプロセッサを含むがそれらに限定されるわけではない、様々な（１つまたは複数の）ハードウェアおよび／またはソフトウェア構成要素および／またはモジュールを含み得る。一般に、動作が図中に示されている場合、それらの動作は、同様に番号付けされている、対応する対照のミーンズプラスファンクション構成要素を有し得る。
【０１１４】
[0121]たとえば、ユーザ機器（ＵＥ）から、ＵＥのカテゴリを示すインジケーションを受信するための手段のための手段、ここにおいて、ＵＥのカテゴリは、ＵＥによってサポートされる最大スループットまたはＵＥによってサポートされるレイヤの数のうちの少なくとも１つを示す、は、たとえば、図２に例示された基地局１１０のアンテナ２３４ａ〜２３４ｔ、復調器２３２ａ〜２３２ｔ、ＭＩＭＯ検出器２３６、および／または受信プロセッサ２３８を含み得る、ｅＮＢの受信機であり得る。ＵＥのカテゴリに基づいて、ＵＥにおける受信機の数を仮定するための手段、および、ＵＥの受信機の数に基づいて、１つまたは複数の送信パラメータを決定するための手段は、たとえば、図２に例示された基地局１１０のコントローラ／プロセッサ２４０および／またはスケジュール２４６を含み得る、ｅＮＢの処理システムであり得る。１つまたは複数の送信パラメータにしたがって、ＵＥと通信するための手段は、たとえば、図２に例示された基地局１１０のアンテナ２３４ａ〜２３４ｔ、変調器２３２ｔ〜２３２ｔ、ＴＸ ＭＩＭＯプロセッサ２３０、および／または送信プロセッサ２２０を含み得る、ｅＮＢの送信機であり得る。
【０１１５】
[0122]ＵＥのカテゴリを示すインジケーションを基地局（ＢＳ）に送るための手段、ここにおいて、ＵＥのカテゴリは、ＵＥによってサポートされる最大スループットまたはＵＥによってサポートされるレイヤの数のうちの少なくとも１つを示す、は、たとえば、図２に例示されたＵＥ１２０のアンテナ２５２ａ〜２５２ｒ、変調器２５４ａ〜２５４ｒ、ＴＸ ＭＩＭＯプロセッサ２６６、および／または送信プロセッサ２６４を含み得る、ＵＥの送信機であり得る。ＢＳによる、ＵＥにおける受信機の数の仮定に基づいて決定された１つまたは複数の送信パラメータにしたがって送信された１つまたは複数の送信をＢＳから受信するための手段は、たとえば、図２に例示されたＵＥ１２０のアンテナ２５２ａ〜２５２ｒ、復調器２５４ａ〜２５２ｒ、ＭＩＭＯ検出器２５６、および／または受信プロセッサ２５８を含み得る、ＵＥの受信機であり得る。
【０１１６】
[0123]本開示に関連して説明された実例となる様々な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、ディスクリートゲートまたはトランジスタ論理、ディスクリートハードウェア構成要素、あるいは本明細書で説明された機能を実行するよう設計されたそれらの任意の組み合わせで実施または実行され得る。汎用プロセッサは、マイクロプロセッサであり得るが、代替として、プロセッサは、任意の市販のプロセッサ、コントローラ、マイクロコントローラ、またはステートマシンであり得る。プロセッサはまた、コンピュータデバイスの組み合わせとして、たとえば、ＤＳＰと１つのマイクロプロセッサとの組み合わせ、複数のマイクロプロセッサ、ＤＳＰコアと連携した１つまたは複数のマイクロプロセッサ、または任意の他のこのような構成として実施され得る。
【０１１７】
[0124]ハードウェアにより実施される場合、例となるハードウェア構成は、ワイヤレスノードにおいて処理システムを備え得る。処理システムは、バスアーキテクチャを用いて実施され得る。バスは、処理システムの特定の用途と設計制約全体に依存して、任意の数の相互接続バスおよびブリッジを含み得る。バスは、プロセッサ、機械読取可能な媒体、およびバスインターフェースを含む様々な回路を互いにリンクさせ得る。バスインターフェースは、とりわけ、バスを介して処理システムに、ネットワークアダプタを接続するために使用され得る。ネットワークアダプタは、ＰＨＹレイヤの信号処理機能を実施するために使用され得る。ユーザ端末１２０（図１参照）のケースでは、ユーザインターフェース（例えば、キーパッド、ディスプレイ、マウス、ジョイスティック、等）もまた、バスに接続され得る。バスはまた、タイミングソース、周辺機器、電圧レギュレータ、電力管理回路、等のような様々な他の回路をリンクさせることができるが、それらは、当技術分野において周知であるので、これ以上説明されない。プロセッサは、１つまたは複数の汎用および／または専用プロセッサを用いて実施され得る。例には、マイクロプロセッサ、マイクロコントローラ、ＤＳＰプロセッサ、およびソフトウェアを実行することができる他の回路が含まれる。当業者であれば、システム全体に課された設計制約全体および特定の用途に依存して処理システムに関する説明された機能性をどのように実施することが最善であるかを明確に認識するであろう。
【０１１８】
[0125]ソフトウェアにより実施される場合、これら機能は、コンピュータ読取可能な媒体上の１つまたは複数の命令またはコードとして、記憶または送信されることができる。ソフトウェアは、ソフトウェア、ファームウェア、ミドルウェア、マイクロコード、ハードウェア記述言語と呼ばれる場合も、その他の名称で呼ばれる場合も、命令、データ、またはそれらの任意の組み合わせを広く意味するものと解釈されるものとする。コンピュータ読取可能な媒体は、ある場所から別の場所へのコンピュータプログラムの転送を容易にする任意の媒体を含む通信媒体およびコンピュータ記憶媒体の両方を含む。プロセッサは、バスの管理と、機械読取可能な記憶媒体に記憶されているソフトウェアモジュールの実行を含む汎用処理とを担い得る。コンピュータ読取可能な記憶媒体は、プロセッサが記憶媒体から情報を読み取り、記憶媒体に情報を書き込むことができるように、プロセッサに結合され得る。代替として、記憶媒体は、プロセッサと一体化され得る。例として、機械読取可能な媒体は、伝送回線、データによって変調されるキャリア波、および／または、ワイヤレスノードとは別個の、命令を記憶したコンピュータ読取可能な記憶媒体を含み得、それらのすべては、バスインターフェースを通じてプロセッサによってアクセスされ得る。代替的にまたは加えて、機械読取可能な媒体、またはその任意の部分は、キャッシュおよび／または汎用レジスタファイルを伴うような場合、プロセッサに一体化され得る。機械読取可能な記憶媒体の例には、例として、ＲＡＭ（ランダムアクセスメモリ）、フラッシュメモリ、ＲＯＭ（読取専用メモリ）、ＰＲＯＭ（プログラマブル読取専用メモリ）、ＥＰＲＯＭ（消去可能なプログラマブル読取専用メモリ）、ＥＥＰＲＯＭ（登録商標）（電気的に消去可能なプログラマブル読取専用メモリ）、レジスタ、磁気ディスク、光ディスク、ハードドライブ、または任意の他の適切な記憶媒体、またはこれらの任意の組み合わせが含まれ得る。機械読取可能な媒体は、コンピュータプログラム製品で具現化され得る。
【０１１９】
[0126]ソフトウェアモジュールは、単一の命令、または多くの命令を備え得、いくつかの異なるコードセグメントにわたって、異なるプログラム間で、および複数の記憶媒体にわたって、分散され得る。コンピュータ読取可能な媒体は、多くのソフトウェアモジュールを備え得る。ソフトウェアモジュールは、プロセッサのような装置によって実行されると、様々な機能を処理システムに行わせる命令を含む。これらのソフトウェアモジュールは、送信モジュールと受信モジュールとを含み得る。各ソフトウェアモジュールは、単一の記憶デバイスに存在し得るか、または複数の記憶デバイスにわたって分散され得る。例として、ソフトウェアモジュールは、トリガイベントが発生すると、ハードドライブからＲＡＭにロードされ得る。ソフトウェアモジュール実行中、プロセッサは、命令のうちのいくらかをキャッシュへとロードして、アクセススピードを上げることができる。次いで、１つまたは複数のキャッシュラインは、プロセッサによる実行のために、汎用レジスタファイルにロードされ得る。以下においてソフトウェアモジュールの機能性を参照する場合、そのソフトウェアモジュールから命令を実行するときにそのような機能性がプロセッサによって実施されることは理解されるであろう。
【０１２０】
[0127]また、何れの接続手段も、厳密には、コンピュータ読取可能な媒体と称される。たとえば、ソフトウェアが、ウェブサイト、サーバ、または他のリモートソースから、同軸ケーブル、光ファイバケーブル、ツイストペア、デジタル加入者回線（ＤＳＬ）、または赤外線（ＩＲ）、電波、およびマイクロ波のようなワイヤレス技術を使用して送信される場合、同軸ケーブル、光ファイバケーブル、ツイストペア、ＤＳＬ、または赤外線、電波、およびマイクロ波のようなワイヤレス技術は、媒体の定義に含まれる。ここで使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスク、およびＢｌｕ−ｒａｙ（登録商標）ディスクを含み、ここでディスク（disk）は、通常磁気的にデータを再生し、ディスク（disc）は、レーザーを用いて光学的にデータを再生する。ゆえに、いくつかの態様では、コンピュータ読取可能な媒体は、非一時的なコンピュータ読取可能な媒体（たとえば、有形媒体）を備え得る。加えて、他の態様について、コンピュータ読取可能な媒体は、一時的なコンピュータ読取可能な媒体（たとえば、信号）を備え得る。上記の組み合わせもまた、コンピュータ読取可能な媒体の範囲内に含まれるべきである。
【０１２１】
[0128]さらに、本明細書で説明された方法および技法を実行するためのモジュールおよび／または他の適切な手段が、ユーザ端末および／または基地局によって、適宜、ダウンロードされ得ること、および／または、それ以外の方法で取得され得ることは認識されるべきである。たとえば、このようなデバイスは、本明細書で説明された方法を実行するための手段の移送を容易にするためにサーバに結合され得る。代替的に、本明細書で説明された様々な方法は、ユーザ端末および／または基地局が、デバイスへの記憶手段の結合または提供により様々な方法を取得することができるように、記憶手段（たとえば、ＲＡＭ、ＲＯＭ、コンパクトディスク（ＣＤ）またはフロッピーディスクのような物理的な記憶媒体、等）を介して提供され得る。さらに、本明細書で説明された方法および技法をデバイスに提供するための任意の他の適切な技法が利用され得る。
【０１２２】
[0129]特許請求の範囲が上に例示されたとおりの構成および構成要素に限定されないことは理解されるべきである。様々な修正、変更、および変形が、特許請求の範囲から逸脱することなく、上で説明した方法および装置の配列、動作、および詳細に対してなされ得る。
以下に本願発明の当初の特許請求の範囲に記載された発明を付記する。
［Ｃ１］
基地局（ＢＳ）によるワイヤレス通信のための方法であって、
ユーザ機器（ＵＥ）から、前記ＵＥのカテゴリを示すインジケーションを受信することと、ここにおいて、前記ＵＥの前記カテゴリは、前記ＵＥによってサポートされる最大スループットまたは前記ＵＥによってサポートされるレイヤの数のうちの少なくとも１つを示す、
前記ＵＥの前記カテゴリに基づいて、前記ＵＥにおける受信機の数を仮定することと、
前記ＵＥの前記受信機の数に基づいて、１つまたは複数の送信パラメータを決定することと、
前記１つまたは複数の送信パラメータにしたがって、前記ＵＥと通信することと
を備える方法。
［Ｃ２］
前記ＵＥにおける受信機の数を示す無線リソース制御（ＲＲＣ）シグナリングを受信することをさらに備え、
前記１つまたは複数の送信パラメータを決定することは、前記ＲＲＣシグナリングにさらに基づく、
Ｃ１に記載の方法。
［Ｃ３］
前記ＵＥにおける前記受信機の数を示す前記ＵＥの前記カテゴリに指定されないパラメータを使用して、シグナリングを受信することをさらに備え、
前記１つまたは複数の送信パラメータを決定することは、前記受信されたシグナリングにさらに基づく、
Ｃ１に記載の方法。
［Ｃ４］
前記ＵＥから、前記ＵＥによって用いられるレイヤの数を示すインジケーションを受信することをさらに備え、前記レイヤの数は、前記ＵＥの前記カテゴリによって示される前記レイヤの数とは異なる、
前記１つまたは複数の送信パラメータを決定することは、前記ＵＥによって用いられる前記示されたレイヤの数にさらに基づく、
Ｃ１に記載の方法。
［Ｃ５］
チャネル状態フィードバック（ＣＳＦ）報告を受信することをさらに備え、前記１つまたは複数の送信パラメータを決定することは、前記ＣＳＦ報告にさらに基づく、
Ｃ１に記載の方法。
［Ｃ６］
ランクインジケータの値、ＵＥ識別情報を示すインジケーション、前記ＵＥの前記カテゴリに適用できない能力シグナリング、またはチャネル品質インジケータ（ＣＱＩ）報告の値のうちの少なくとも１つを受信することをさらに備え、
前記１つまたは複数の送信パラメータを決定することは、前記受信された少なくとも１つのＵＥ ＩＤ、能力シグナリング、またはＣＱＩ報告にさらに基づく、
Ｃ１に記載の方法。
［Ｃ７］
１つまたは複数の送信パラメータを決定することは、前記インジケーションに基づいて、トランスポートブロック（ＴＢ）のサイズに対するチャネル品質インジケータ（ＣＱＩ）のマッピングを調節することを備える、
Ｃ１に記載の方法。
［Ｃ８］
前記調節されたマッピングにしたがって、特定のランクのグラントを送ることで、または、特定の伝送モードを使用することで、前記インジケーションに確認応答することをさらに備える、
Ｃ７に記載の方法。
［Ｃ９］
前記決定された１つまたは複数の送信パラメータにしたがって、１つまたは複数のデータまたは制御チャネルを送信することをさらに備える、
Ｃ１に記載の方法。
［Ｃ１０］
前記１つまたは複数のデータまたは制御チャネルは、セカンダリ同期信号（ＳＳＳ）またはプライマリ同期信号（ＰＳＳ）、物理ブロードキャストチャネル（ＰＢＣＨ）、物理ダウンリンク制御チャネル（ＰＤＣＣＨ）、物理ＨＡＲＱインジケータチャネル（ＰＨＩＣＨ）、システム情報ブロック（ＳＩＢ）、ページング信号、または物理ダウンリンク共有チャネル（ＰＤＳＣＨ）のうちの少なくとも１つを備える、Ｃ９に記載の方法。
［Ｃ１１］
前記１つまたは複数の送信パラメータを決定することは、前記１つまたは複数のデータまたは制御チャネルの送信を繰り返す回数を決定することを備える、
Ｃ９に記載の方法。
［Ｃ１２］
前記１つまたは複数のデータまたは制御チャネルの送信を繰り返す前記回数を決定することは、前記ＵＥにおける前記示された受信機の数が１である場合、前記ＵＥにおける前記示された受信機の数が１より大きい場合より頻繁に送信を繰り返すことを決定することを備える、
Ｃ１１に記載の方法。
［Ｃ１３］
前記１つまたは複数の送信パラメータを決定することは、前記繰り返される送信を送信する特定のリソースブロックを決定することをさらに備える、
Ｃ１２に記載の方法。
［Ｃ１４］
前記１つまたは複数の送信パラメータを決定することは、前記繰り返される送信を送信するための１つまたは複数の特定のサブフレームを決定することをさらに備える、
Ｃ１２に記載の方法。
［Ｃ１５］
前記ＢＳに固有の、繰り返される送信を送信するためのパターンを決定することと、
前記決定されたパターンにしたがって、前記１つまたは複数のデータまたは制御チャネルを送信することと
をさらに備える、Ｃ１１に記載の方法。
［Ｃ１６］
前記繰り返すことは、周波数領域または時間領域のうちの少なくとも１つで行なわれる、
Ｃ１１に記載の方法。
［Ｃ１７］
前記１つまたは複数の送信パラメータを決定することは、前記１つまたは複数のデータまたは制御チャネルの送信のために使用する伝送電力レベルを決定することを備える、
Ｃ９に記載の方法。
［Ｃ１８］
前記１つまたは複数のデータまたは制御チャネルの送信のために使用する伝送電力レベルを決定することは、前記ＵＥにおける前記示された受信機の数が１である場合、前記ＵＥにおける前記示された受信機の数が１より大きい場合より高い伝送電力レベルを使用すると決定することを備える、
Ｃ１７に記載の方法。
［Ｃ１９］
前記より高い伝送電力レベルは、繰り返される送信に対してのみ使用される、
Ｃ１８に記載の方法。
［Ｃ２０］
前記１つまたは複数の送信パラメータを決定することは、前記１つまたは複数のデータまたは制御チャネルの送信のために使用するアグリゲーションレベルを決定することを備える、
Ｃ９に記載の方法。
［Ｃ２１］
ユーザ機器（ＵＥ）によるワイヤレス通信のための方法であって、
前記ＵＥのカテゴリを示すインジケーションを基地局（ＢＳ）に送ることと、ここにおいて、前記ＵＥの前記カテゴリは、前記ＵＥによってサポートされる最大スループットまたは前記ＵＥによってサポートされるレイヤの数のうちの少なくとも１つを示す、
前記ＢＳによる、前記ＵＥにおける受信機の数の仮定に基づいて決定された１つまたは複数の送信パラメータにしたがって送信された１つまたは複数の送信を前記ＢＳから受信することと
を備える方法。
［Ｃ２２］
前記ＵＥにおける前記受信機の数の示す別のインジケーションを前記ＢＳに送ることをさらに備え、前記１つまたは複数の送信は、前記ＵＥにおける前記示された受信機の数にさらにしたがって送信される、
Ｃ２１に記載の方法。
［Ｃ２３］
前記ＵＥにおける前記受信機の数を示す前記インジケーションは、前記ＵＥの前記カテゴリに指定されないパラメータを使用して、シグナリングを介して提供される、
Ｃ２２に記載の方法。
［Ｃ２４］
前記ＵＥにおける前記受信機の数を示す前記インジケーションは、無線リソース制御（ＲＲＣ）シグナリングを介して提供される、
Ｃ２２に記載の方法。
［Ｃ２５］
前記インジケーションを前記送ることに基づいて、前記１つまたは複数の送信パラメータを仮定することと、
前記１つまたは複数の送信パラメータにしたがって、前記１つまたは複数の送信をモニタすることと
をさらに備える、Ｃ２２に記載の方法。
［Ｃ２６］
前記インジケーションに確認応答するシグナリングを前記ＢＳから受信することと、
前記ＢＳからの前記インジケーションに基づいて、前記１つまたは複数の送信パラメータにしたがって、前記１つまたは複数の送信をモニタすることと
をさらに備える、Ｃ２２に記載の方法。
［Ｃ２７］
前記インジケーションは、前記ＵＥによって用いられるレイヤの数を示す別のインジケーションを介して提供され、チャネル状態フィードバック（ＣＳＦ）報告および前記１つまたは複数の送信パラメータは、前記ＣＳＦ報告、ランクインジケータの値、ＵＥ識別情報を示すインジケーション、前記ＵＥの前記カテゴリに適用できない能力シグナリング、またはチャネル品質インジケータ（ＣＱＩ）報告の値に基づいてさらに決定される、
Ｃ２２に記載の方法。
［Ｃ２８］
前記１つまたは複数の送信パラメータは、前記１つまたは複数の送信の繰り返しの数、前記１つまたは複数の送信の電力レベル、前記１つまたは複数の送信のアグリゲーションレベル、前記１つまたは複数の送信に対して使用される特定のリソースブロック、または前記１つまたは複数の送信に対して使用される特定のサブフレームのうちの少なくとも１つを備える、
Ｃ２１に記載の方法。
［Ｃ２９］
基地局（ＢＳ）によるワイヤレス通信のための装置であって、
ユーザ機器（ＵＥ）から、前記ＵＥのカテゴリを示すインジケーションを受信するための手段と、ここにおいて、前記ＵＥの前記カテゴリは、前記ＵＥによってサポートされる最大スループットまたは前記ＵＥによってサポートされるレイヤの数のうちの少なくとも１つを示す、
前記ＵＥの前記カテゴリに基づいて、前記ＵＥにおける受信機の数を仮定するための手段と、
前記ＵＥの前記受信機の数に基づいて、１つまたは複数の送信パラメータを決定するための手段と、
前記１つまたは複数の送信パラメータにしたがって、前記ＵＥと通信するための手段と
を備える装置。
［Ｃ３０］
ユーザ機器（ＵＥ）によるワイヤレス通信のための装置であって、
前記ＵＥのカテゴリを示すインジケーションを基地局（ＢＳ）に送るための手段と、ここにおいて、前記ＵＥの前記カテゴリは、前記ＵＥによってサポートされる最大スループットまたは前記ＵＥによってサポートされるレイヤの数のうちの少なくとも１つを示す、
前記ＢＳによる、前記ＵＥにおける受信機の数の仮定に基づいて決定された１つまたは複数の送信パラメータにしたがって送信された１つまたは複数の送信を前記ＢＳから受信するための手段と
を備える装置。
【図１】
0006625667.tif 000002
【図２】
0006625667.tif 000003
【図３】
0006625667.tif 000004
【図４】
0006625667.tif 000005
【図４Ａ】
0006625667.tif 000006
【図５】
0006625667.tif 000007
【図６】
0006625667.tif 000008
【図７】
0006625667.tif 000009